(57)【要約】【課題】主走査方向の位置合わせを、より高精度に行う。【解決手段】１２００ｄｐｉの解像度に対応した間隔で一列に配列される複数の発光サイリスタＬ１〜Ｌ２６０と、発光サイリスタＬ１〜Ｌ２６０のそれぞれに接続された複数の転送サイリスタＴ１〜Ｔ２６０とを備え、これらのうち１つの転送サイリスタをオン状態とさせる動作とこの１つの転送サイリスタを含み隣接する２つの転送サイリスタをオン状態とさせる動作とを繰り返し行わせる第１転送信号φ１および第２転送信号φ２を供給し、奇数番目およびその後段に隣接して配列される偶数番目の発光サイリスタを組として発光させる奇数−偶数モードと、偶数番目およびその後段に隣接して配列される奇数番目の発光サイリスタを組として発光させる偶数−奇数モードとで、供給タイミングを異ならせて６００ｄｐｉの解像度に対応した発光信号φＩを供給する。【選択図】図６
2010201894.tif 000002
【特許請求の範囲】
【請求項１】
第１の解像度に対応した間隔で一列に配列される複数の発光素子と、
前記複数の発光素子のそれぞれと電気的に接続され、接続される発光素子を、オン状態とされた場合にオフ状態とされた場合よりも発光しやすい状態に設定する複数のスイッチ素子と、
前記複数のスイッチ素子を構成する各スイッチ素子に対し、１つのスイッチ素子をオン状態とさせる動作と当該１つのスイッチ素子を含み隣接する２つのスイッチ素子をオン状態とさせる動作とを繰り返し行わせることで、スイッチ素子のオン状態を転送するための転送信号を供給する転送信号供給手段と、
前記複数の発光素子のうち奇数番目に配列される奇数番目の発光素子とその後段に隣接して配列される偶数番目の発光素子とを組として発光させる第１のモードと、当該複数の発光素子のうち偶数番目に配列される偶数番目の発光素子とその後段に隣接して配列される奇数番目の発光素子とを組として発光させる第２のモードとで、供給時期を異ならせて前記第１の解像度の半分となる第２の解像度に対応した発光信号を供給する発光信号供給手段と
を有する発光装置。
【請求項２】
前記転送信号供給手段は、奇数番目のスイッチ素子および偶数番目のスイッチ素子をオン状態にする第１の期間と、当該第１の期間に続いて奇数番目のスイッチ素子をオン状態にすると共に偶数番目のスイッチ素子をオフ状態にする第２の期間と、当該第２の期間に続いて奇数番目のスイッチ素子および偶数番目のスイッチ素子をオン状態にする第３の期間と、当該第３の期間に続いて奇数番目のスイッチ素子をオン状態にすると共に偶数番目のスイッチ素子をオフ状態にする第４の期間と、当該第４の期間に続いて奇数番目のスイッチ素子および偶数番目のスイッチ素子をオン状態にする第５の期間と、当該第５の期間に続いて奇数番目のスイッチ素子をオフ状態にすると共に偶数番目のスイッチ素子をオン状態にする第６の期間と、当該第６の期間に続いて奇数番目のスイッチ素子および偶数番目のスイッチ素子をオン状態にする第７の期間と、当該第７の期間に続いて奇数番目のスイッチ素子をオフ状態にすると共に偶数番目のスイッチ素子をオン状態にする第８の期間とを１周期とする前記転送信号を供給し、
前記発光信号供給手段は、前記第１のモードでは前記第３の期間内で発光を開始させるように前記発光信号の供給時期を設定し、前記第２のモードでは前記第７の期間内で発光を開始させるように当該発光信号の供給時期を設定すること
を特徴とする請求項１記載の発光装置。
【請求項３】
前記発光信号供給手段は、前記第１のモードでは前記第８の期間内で発光を終了させるように前記発光信号の供給時期を設定し、前記第２のモードでは前記第４の期間内で発光を終了させるように当該発光信号の供給時期を設定すること
を特徴とする請求項２記載の発光装置。
【請求項４】
前記第３の期間よりも前記第８の期間が長く設定され、且つ、前記第７の期間よりも前記第４の期間が長く設定されることを特徴とする請求項３記載の発光装置。
【請求項５】
前記第６の期間よりも前記第８の期間が長く設定され、且つ、前記第２の期間よりも前記第４の期間が長く設定されることを特徴とする請求項３または４記載の発光装置。
【請求項６】
基板と、当該基板に主走査方向に第１の解像度に対応した間隔で一列に配列される複数の発光素子を有する発光素子列とを備え、当該発光素子列が、主走査方向中央部に配列される発光素子を含む第１の発光素子群と、当該第１の発光素子群の主走査方向一端側に配列される発光素子を含む第２の発光素子群と、当該第１の発光素子群の主走査方向他端側に配列される発光素子を含む第３の発光素子群とを有する発光素子チップと、
複数の前記発光素子チップが千鳥状に配列され、且つ、隣り合う２つの発光素子チップ同士の境界部において、一方の発光素子チップの前記第２の発光素子群と他方の発光素子チップの前記第３の発光素子群とが、前記主走査方向に重なる重なり部を形成するように取り付けられる取り付け部材と、
複数の前記発光素子チップのそれぞれに前記第１の解像度の半分となる第２の解像度に対応した個別の発光信号を供給する発光信号供給部と、
複数の前記発光素子チップから出力される光を像保持体上に結像させる光学部材とを含み、
前記発光信号供給部は、各々の前記発光素子チップのそれぞれに対し、前記複数の発光素子のうち奇数番目に配列される奇数番目の発光素子とその後段に隣接して配列される偶数番目の発光素子とを組として発光させる第１のモードと、当該複数の発光素子のうち偶数番目に配列される偶数番目の発光素子とその後段に隣接して配列される奇数番目の発光素子とを組として発光させる第２のモードとにおいて、前記重なり部において発光対象となる発光素子が主走査方向に連続するように発光対象となる発光素子の位置を補正した前記発光信号を供給すること
を特徴とする露光装置。
【請求項７】
複数の前記発光素子チップは、前記基板において前記複数の発光素子のそれぞれと電気的に接続され、接続される発光素子を、オン状態とされた場合にオフ状態とされた場合よりも発光しやすい状態に設定する複数のスイッチ素子をさらに備え、
複数の前記発光素子チップのそれぞれに共通の転送信号を供給する転送信号供給部をさらに含み、
前記転送信号供給部は、各々の前記発光素子チップの前記複数のスイッチ素子を構成する各スイッチ素子に対し、１つのスイッチ素子をオン状態とさせる動作と当該１つのスイッチ素子を含み隣接する２つのスイッチ素子をオン状態とさせる動作とを繰り返し行わせることで、スイッチ素子のオン状態を転送するための前記転送信号を供給し、
前記発光信号供給部は、前記第１のモードと前記第２のモードとで前記発光信号の供給時期を異ならせることを特徴とする請求項６記載の露光装置。
【請求項８】
前記転送信号供給部は、奇数番目のスイッチ素子および偶数番目のスイッチ素子をオン状態にする第１の期間と、当該第１の期間に続いて奇数番目のスイッチ素子をオン状態にすると共に偶数番目のスイッチ素子をオフ状態にする第２の期間と、当該第２の期間に続いて奇数番目のスイッチ素子および偶数番目のスイッチ素子をオン状態にする第３の期間と、当該第３の期間に続いて奇数番目のスイッチ素子をオン状態にすると共に偶数番目のスイッチ素子をオフ状態にする第４の期間と、当該第４の期間に続いて奇数番目のスイッチ素子および偶数番目のスイッチ素子をオン状態にする第５の期間と、当該第５の期間に続いて奇数番目のスイッチ素子をオフ状態にすると共に偶数番目のスイッチ素子をオン状態にする第６の期間と、当該第６の期間に続いて奇数番目のスイッチ素子および偶数番目のスイッチ素子をオン状態にする第７の期間と、当該第７の期間に続いて奇数番目のスイッチ素子をオフ状態にすると共に偶数番目のスイッチ素子をオン状態にする第８の期間とを１周期とする前記転送信号を供給し、
前記発光信号供給部は、前記第１のモードでは前記第３の期間内で発光を開始させるように前記発光信号の供給時期を設定し、前記第２のモードでは前記第７の期間内で発光を開始させるように当該発光信号の供給時期を設定すること
を特徴とする請求項７記載の露光装置。
【請求項９】
前記発光信号供給部は、複数の前記発光素子チップのそれぞれに対し、同じ数の組を発光対象とする前記発光信号を供給することを特徴とする請求項６ないし８のいずれか１項記載の露光装置。
【請求項１０】
像保持体と、
前記像保持体を帯電する帯電装置と、
第１の解像度に対応した間隔で一列に配列される複数の発光素子と、当該複数の発光素子のそれぞれと電気的に接続され、接続される発光素子を、オン状態とされた場合にオフ状態とされた場合よりも発光しやすい状態に設定する複数のスイッチ素子と、当該複数のスイッチ素子を構成する各スイッチ素子に対し、１つのスイッチ素子をオン状態とさせる動作と当該１つのスイッチ素子を含み隣接する２つのスイッチ素子をオン状態とさせる動作とを繰り返し行わせることで、スイッチ素子のオン状態を転送するための転送信号を供給する転送信号供給手段と、当該複数の発光素子に当該第１の解像度の半分となる第２の解像度に対応した発光信号を供給する発光信号供給手段と、当該複数の発光素子のうち奇数番目に配列される奇数番目の発光素子とその後段に隣接して配列される偶数番目の発光素子とを組として発光させる第１のモードと、当該複数の発光素子のうち偶数番目に配列される偶数番目の発光素子とその後段に隣接して配列される奇数番目の発光素子とを組として発光させる第２のモードとで、当該発光信号供給手段による当該発光信号の供給時期を変更する変更手段とを有し、前記帯電装置にて帯電された前記像保持体を露光して静電潜像を形成する露光装置と、
前記像保持体に形成された前記静電潜像を現像して画像を形成する現像装置と、
前記像保持体に形成された画像を記録材に転写する転写装置と
を有する画像形成部を、複数備える画像形成装置。
【発明の詳細な説明】
【技術分野】
【０００１】
本発明は、複数の発光素子を備えた発光装置、露光装置および画像形成装置に関する。
【背景技術】
【０００２】
電子写真方式を用いたプリンタや複写機等の画像形成装置において、感光体ドラム等の像保持体上を露光する露光装置として、近年、ＬＥＤ（Light Emitting Diode）等の発光素子を一列に配列した発光素子アレイを用いたものが採用されている。また、最近の画像形成装置では、カラー化が急速に進んでおり、それぞれが露光装置を有する複数の像形成部を並べて配置し、各像形成部を用いて多色画像を出力するものが実用化されている。
【０００３】
公報記載の従来技術として、各像形成部に設けられたＬＥＤアレイのそれぞれにおいて、発光の対象となるＬＥＤの位置を調整することで、主走査方向の像ずれを抑制する技術が存在する（特許文献１参照）。
【先行技術文献】
【特許文献】
【０００４】
【特許文献１】特開平１１−１０５３４４号公報
【発明の概要】
【発明が解決しようとする課題】
【０００５】
ところで、複数の発光素子を並べて構成した露光装置を用いた場合、画像データを操作して発光の対象となる発光素子を変更することで、得られる画像の主走査方向の像ずれの大きさは、画像データにおける１画素の大きさよりも小さい値に抑えることが可能となる。従来にあっては、この程度の像ずれは問題とされていなかったが、近年の画像形成装置の高画質化に伴い、画像形成装置に要求される主走査方向の位置合わせの精度は、上述した１画素の大きさよりも小さくなることが予想される。
【０００６】
本発明は、主走査方向の位置合わせを、より高精度に行うことを目的とする。
【課題を解決するための手段】
【０００７】
請求項１記載の発明は、第１の解像度に対応した間隔で一列に配列される複数の発光素子と、前記複数の発光素子のそれぞれと電気的に接続され、接続される発光素子を、オン状態とされた場合にオフ状態とされた場合よりも発光しやすい状態に設定する複数のスイッチ素子と、前記複数のスイッチ素子を構成する各スイッチ素子に対し、１つのスイッチ素子をオン状態とさせる動作と当該１つのスイッチ素子を含み隣接する２つのスイッチ素子をオン状態とさせる動作とを繰り返し行わせることで、スイッチ素子のオン状態を転送するための転送信号を供給する転送信号供給手段と、前記複数の発光素子のうち奇数番目に配列される奇数番目の発光素子とその後段に隣接して配列される偶数番目の発光素子とを組として発光させる第１のモードと、当該複数の発光素子のうち偶数番目に配列される偶数番目の発光素子とその後段に隣接して配列される奇数番目の発光素子とを組として発光させる第２のモードとで、供給時期を異ならせて前記第１の解像度の半分となる第２の解像度に対応した発光信号を供給する発光信号供給手段とを有する発光装置である。
【０００８】
請求項２記載の発明は、前記転送信号供給手段は、奇数番目のスイッチ素子および偶数番目のスイッチ素子をオン状態にする第１の期間と、当該第１の期間に続いて奇数番目のスイッチ素子をオン状態にすると共に偶数番目のスイッチ素子をオフ状態にする第２の期間と、当該第２の期間に続いて奇数番目のスイッチ素子および偶数番目のスイッチ素子をオン状態にする第３の期間と、当該第３の期間に続いて奇数番目のスイッチ素子をオン状態にすると共に偶数番目のスイッチ素子をオフ状態にする第４の期間と、当該第４の期間に続いて奇数番目のスイッチ素子および偶数番目のスイッチ素子をオン状態にする第５の期間と、当該第５の期間に続いて奇数番目のスイッチ素子をオフ状態にすると共に偶数番目のスイッチ素子をオン状態にする第６の期間と、当該第６の期間に続いて奇数番目のスイッチ素子および偶数番目のスイッチ素子をオン状態にする第７の期間と、当該第７の期間に続いて奇数番目のスイッチ素子をオフ状態にすると共に偶数番目のスイッチ素子をオン状態にする第８の期間とを１周期とする前記転送信号を供給し、前記発光信号供給手段は、前記第１のモードでは前記第３の期間内で発光を開始させるように前記発光信号の供給時期を設定し、前記第２のモードでは前記第７の期間内で発光を開始させるように当該発光信号の供給時期を設定することを特徴とする請求項１記載の発光装置である。
請求項３記載の発明は、前記発光信号供給手段は、前記第１のモードでは前記第８の期間内で発光を終了させるように前記発光信号の供給時期を設定し、前記第２のモードでは前記第４の期間内で発光を終了させるように当該発光信号の供給時期を設定することを特徴とする請求項２記載の発光装置である。
請求項４記載の発明は、前記第３の期間よりも前記第８の期間が長く設定され、且つ、前記第７の期間よりも前記第４の期間が長く設定されることを特徴とする請求項３記載の発光装置である。
請求項５記載の発明は、前記第６の期間よりも前記第８の期間が長く設定され、且つ、前記第２の期間よりも前記第４の期間が長く設定されることを特徴とする請求項３または４記載の発光装置である。
【０００９】
請求項６記載の発明は、基板と、当該基板に主走査方向に第１の解像度に対応した間隔で一列に配列される複数の発光素子を有する発光素子列とを備え、当該発光素子列が、主走査方向中央部に配列される発光素子を含む第１の発光素子群と、当該第１の発光素子群の主走査方向一端側に配列される発光素子を含む第２の発光素子群と、当該第１の発光素子群の主走査方向他端側に配列される発光素子を含む第３の発光素子群とを有する発光素子チップと、複数の前記発光素子チップが千鳥状に配列され、且つ、隣り合う２つの発光素子チップ同士の境界部において、一方の発光素子チップの前記第２の発光素子群と他方の発光素子チップの前記第３の発光素子群とが、前記主走査方向に重なる重なり部を形成するように取り付けられる取り付け部材と、複数の前記発光素子チップのそれぞれに前記第１の解像度の半分となる第２の解像度に対応した個別の発光信号を供給する発光信号供給部と、複数の前記発光素子チップから出力される光を像保持体上に結像させる光学部材とを含み、前記発光信号供給部は、各々の前記発光素子チップのそれぞれに対し、前記複数の発光素子のうち奇数番目に配列される奇数番目の発光素子とその後段に隣接して配列される偶数番目の発光素子とを組として発光させる第１のモードと、当該複数の発光素子のうち偶数番目に配列される偶数番目の発光素子とその後段に隣接して配列される奇数番目の発光素子とを組として発光させる第２のモードとにおいて、前記重なり部において発光対象となる発光素子が主走査方向に連続するように発光対象となる発光素子の位置を補正した前記発光信号を供給することを特徴とする露光装置である。
【００１０】
請求項７記載の発明は、複数の前記発光素子チップは、前記基板において前記複数の発光素子のそれぞれと電気的に接続され、接続される発光素子を、オン状態とされた場合にオフ状態とされた場合よりも発光しやすい状態に設定する複数のスイッチ素子をさらに備え、複数の前記発光素子チップのそれぞれに共通の転送信号を供給する転送信号供給部をさらに含み、前記転送信号供給部は、各々の前記発光素子チップの前記複数のスイッチ素子を構成する各スイッチ素子に対し、１つのスイッチ素子をオン状態とさせる動作と当該１つのスイッチ素子を含み隣接する２つのスイッチ素子をオン状態とさせる動作とを繰り返し行わせることで、スイッチ素子のオン状態を転送するための前記転送信号を供給し、前記発光信号供給部は、前記第１のモードと前記第２のモードとで前記発光信号の供給時期を異ならせることを特徴とする請求項６記載の露光装置である。
請求項８記載の発明は、前記転送信号供給部は、奇数番目のスイッチ素子および偶数番目のスイッチ素子をオン状態にする第１の期間と、当該第１の期間に続いて奇数番目のスイッチ素子をオン状態にすると共に偶数番目のスイッチ素子をオフ状態にする第２の期間と、当該第２の期間に続いて奇数番目のスイッチ素子および偶数番目のスイッチ素子をオン状態にする第３の期間と、当該第３の期間に続いて奇数番目のスイッチ素子をオン状態にすると共に偶数番目のスイッチ素子をオフ状態にする第４の期間と、当該第４の期間に続いて奇数番目のスイッチ素子および偶数番目のスイッチ素子をオン状態にする第５の期間と、当該第５の期間に続いて奇数番目のスイッチ素子をオフ状態にすると共に偶数番目のスイッチ素子をオン状態にする第６の期間と、当該第６の期間に続いて奇数番目のスイッチ素子および偶数番目のスイッチ素子をオン状態にする第７の期間と、当該第７の期間に続いて奇数番目のスイッチ素子をオフ状態にすると共に偶数番目のスイッチ素子をオン状態にする第８の期間とを１周期とする前記転送信号を供給し、前記発光信号供給部は、前記第１のモードでは前記第３の期間内で発光を開始させるように前記発光信号の供給時期を設定し、前記第２のモードでは前記第７の期間内で発光を開始させるように当該発光信号の供給時期を設定することを特徴とする請求項７記載の露光装置である。
請求項９記載の発明は、前記発光信号供給部は、複数の前記発光素子チップのそれぞれに対し、同じ数の組を発光対象とする前記発光信号を供給することを特徴とする請求項６ないし８のいずれか１項記載の露光装置である。
【００１１】
請求項１０記載の発明は、像保持体と、前記像保持体を帯電する帯電装置と、第１の解像度に対応した間隔で一列に配列される複数の発光素子と、当該複数の発光素子のそれぞれと電気的に接続され、接続される発光素子を、オン状態とされた場合にオフ状態とされた場合よりも発光しやすい状態に設定する複数のスイッチ素子と、当該複数のスイッチ素子を構成する各スイッチ素子に対し、１つのスイッチ素子をオン状態とさせる動作と当該１つのスイッチ素子を含み隣接する２つのスイッチ素子をオン状態とさせる動作とを繰り返し行わせることで、スイッチ素子のオン状態を転送するための転送信号を供給する転送信号供給手段と、当該複数の発光素子に当該第１の解像度の半分となる第２の解像度に対応した発光信号を供給する発光信号供給手段と、当該複数の発光素子のうち奇数番目に配列される奇数番目の発光素子とその後段に隣接して配列される偶数番目の発光素子とを組として発光させる第１のモードと、当該複数の発光素子のうち偶数番目に配列される偶数番目の発光素子とその後段に隣接して配列される奇数番目の発光素子とを組として発光させる第２のモードとで、当該発光信号供給手段による当該発光信号の供給時期を変更する変更手段とを有し、前記帯電装置にて帯電された前記像保持体を露光して静電潜像を形成する露光装置と、前記像保持体に形成された前記静電潜像を現像して画像を形成する現像装置と、前記像保持体に形成された画像を記録材に転写する転写装置とを有する画像形成部を、複数備える画像形成装置である。
【発明の効果】
【００１２】
請求項１の発明によれば、本構成を有していない場合と比較して、主走査方向の位置合わせを、より高精度に行うことができる。
請求項２記載の発明によれば、本構成を有していない場合と比較して、発光信号の供給タイミングをずらすことで、転送信号の波形を変更することなく発光素子１個分の主走査方向位置の調整を行うことが可能になる。
請求項３記載の発明によれば、第１のモードにおいては組として発光する奇数番目の発光素子とその後段に隣接して配列される偶数番目の発光素子とを、また、第２のモードにおいては組として発光する偶数番目の発光素子とその後段に隣接して配列される奇数番目の発光素子とを、それぞれ確実に消灯させることができる。
請求項４記載の発明によれば、本構成を有しない場合と比較して、各組の発光時間の調整による発光量の補正を、より広い範囲で行うことができる。
請求項５記載の発明によれば、本構成を有しない場合と比較して、各組の発光時間の調整による発光量の補正を、より広い範囲で行うことができる。
請求項６記載の発明によれば、本構成を有していない場合に比較して、主走査方向の位置合わせを、より高精度に行うことができる。
請求項７記載の発明によれば、本構成を有していない場合に比較して、主走査方向の位置合わせを、より高精度に行うことができる。
請求項８記載の発明によれば、本構成を有していない場合と比較して、発光信号の供給タイミングをずらすことで、転送信号の波形を変更することなく発光素子１個分の主走査方向位置の調整を行うことが可能になる。
請求項９記載の発明によれば、本構成を有しない場合と比較して、複数の発光素子チップに跨って発光信号をずらすことなく主走査方向の位置補正を行うことができる。
請求項１０記載の発明によれば、本構成を有していない場合に比較して、各画像形成部の主走査方向の位置合わせを、より高精度に行うことができる。
【図面の簡単な説明】
【００１３】
【図１】本実施の形態が適用される画像形成装置の全体構成の一例を示す図である。
【図２】ＬＰＨの構成を示した断面図である。
【図３】（ａ）はＬＰＨにおける回路基板および発光部の上面図であり、（ｂ）はＬＰＨにおけるロッドレンズアレイおよびホルダの上面図である。
【図４】発光部のうち、３つの発光チップの連結部位を拡大した図である。
【図５】回路基板に搭載される信号発生回路の構成および回路基板の配線構成を示した図である。
【図６】発光チップの回路構成を説明するための図である。
【図７】発光信号発生部の構成の一例を示す図である。
【図８】各色のＬＰＨを、画像形成装置のフレームに取り付けた状態の一例を示す図である。
【図９】各色と、各色のＬＰＨに設けられた位置補正データ記憶部に記憶される位置補正データとの関係を説明するための図である。
【図１０】（ａ）〜（ｅ）は、位置補正データと、位置補正に伴う発光チップでの発光点の変化との関係を説明するための図である。
【図１１】（ａ）〜（ｄ）は、各色のＬＰＨにおける、各発光チップの発光点を示す図である。
【図１２】各発光チップに共通に供給される第１転送信号および第２転送信号の波形を説明するための図である。
【図１３】各期間における第１転送信号および第２転送信号の状態を説明するための図である。
【図１４】奇数−偶数モードの奇数−偶数全発光動作における発光チップの動作を説明するためのタイミングチャートである。
【図１５】奇数−偶数モードの奇数−偶数交互発光動作における発光チップの動作を説明するためのタイミングチャートである。
【図１６】偶数−奇数モードの偶数−奇数全発光動作における発光チップの動作を説明するためのタイミングチャートである。
【図１７】偶数−奇数モードの偶数−奇数交互発光動作における発光チップの動作を説明するためのタイミングチャートである。
【発明を実施するための形態】
【００１４】
以下、添付図面を参照して、本発明の実施の形態について詳細に説明する。
図１は、本実施の形態が適用される所謂タンデム型の画像形成装置１の全体構成の一例を示した図である。この画像形成装置１は、各色の画像データに対応して画像形成を行う画像形成プロセス部１０と、パーソナルコンピュータ（ＰＣ）２、画像読取装置３、あるいはＦＡＸモデム４等に接続され、これらから入力される画像データに画像処理を施し、さらには画像形成装置１全体の動作を制御する制御部２０とを備えている。
【００１５】
画像形成プロセス部１０は、複数の画像形成部の一例としての４つの画像形成ユニット１１（具体的には１１Ｙ、１１Ｍ、１１Ｃ、１１Ｋ）を備える。各画像形成ユニット１１は、像保持体の一例としての感光体ドラム１２、感光体ドラム１２を帯電する帯電装置の一例としての帯電器１３、帯電された感光体ドラム１２を制御部２０から送られてくる画像データに基づいて露光する露光装置の一例としてのＬＥＤプリントヘッド（ＬＰＨ）１４、感光体ドラム１２上に形成された静電潜像をトナーで現像する現像装置の一例としての現像器１５を備えている。また、画像プロセス部１０は、画像形成ユニット１１の各感光体ドラム１２にて画像形成された各色のトナー像を多重転写させるための用紙を搬送する搬送ベルト１６、搬送ベルト１６を駆動させる駆動ロール１７、感光体ドラム１２のトナー像を用紙に転写させる転写装置の一例としての転写ロール１８、転写後の用紙上の未定着トナー像を加熱・加圧して定着する定着器１９を備えている。
【００１６】
図２は、ＬＰＨ１４の構成を示した断面図である。このＬＰＨ１４は、複数のＬＥＤを備えた発光部６３、発光部６３や発光部６３を駆動する信号発生回路１００（後段の図５参照）等を搭載する回路基板６２、発光部６３から出射された光を感光体ドラム１２表面に結像させる光学部材の一例としてのロッドレンズアレイ６４、回路基板６２およびロッドレンズアレイ６４を支持するとともに発光部６３を外部から遮蔽するホルダ６５を備えている。
【００１７】
図３（ａ）はＬＰＨ１４における回路基板６２および発光部６３の上面図であり、図３（ｂ）はＬＰＨ１４におけるロッドレンズアレイ６４およびホルダ６５の上面図である。図３（ａ）に示すように、発光部６３は、取り付け部材の一例としての回路基板６２上に、複数の発光素子チップの一例としての６０個の発光チップＣ（Ｃ１〜Ｃ６０）を、副走査方向に二列に千鳥状に配置して構成されている。
【００１８】
また、図３（ｂ）に示すように、ロッドレンズアレイ６４は、複数のロッドレンズ６４ａを、互い違いとなるように副走査方向に二列に整列配置した状態で、ホルダ６５に保持させることによって構成されている。各ロッドレンズ６４ａは例えば円柱状の形状を有しており、その半径方向に屈折率分布を有し正立等倍実像を形成する屈折率分布型レンズにて構成される。このような屈折率分布型レンズとしては、例えばセルフォック（日本板硝子株式会社の登録商標）レンズが挙げられる。
【００１９】
図４は、上記発光部６３のうち、発光チップＣ１、Ｃ２、Ｃ３の連結部位を拡大した図である。ここで、発光チップＣ１〜Ｃ６０はすべて同一の構成を有しており、例えば発光チップＣ２を例とすると、基板の一例としての矩形状のチップ基板７０と、このチップ基板７０の表面に長手方向に沿って一列に配置された発光素子列の一例としての発光素子アレイ７１とを備えている。この発光素子アレイ７１は、主走査方向に一列に並べられた複数の発光素子の一例としての２６０個の発光サイリスタＬを有している。そして、発光素子アレイ７１において、隣接する発光サイリスタＬの中心間の距離は、それぞれ約２１．１５μｍに設定されている。したがって、発光部６３すなわちＬＰＨ１４は、主走査方向の出力解像度（第１の解像度）が１２００ｄｐｉ（dot per inch）となっている。
【００２０】
また、図４に示したように、例えば隣り合う発光チップＣ１と発光チップＣ２との境界においては、発光チップＣ１の右端側に設けられた４個の発光サイリスタＬと、発光チップＣ２の左端側に設けられた４個の発光サイリスタＬとが、主走査方向に１つずつ重なる重なり部を形成している。一方、例えば隣接する発光チップＣ２と発光チップＣ３との境界においても、発光チップＣ２の右端側に設けられた４個の発光サイリスタＬと、発光チップＣ３の左端側に設けられた４個の発光サイリスタＬとが、主走査方向に１つずつ重なる重なり部を形成している。なお、発光チップＣ３〜Ｃ６０の境界部においても、同様の重なり部が形成されている。
【００２１】
図５は、回路基板６２（図２参照）に搭載される信号発生回路１００の構成および回路基板６２の配線構成を示した図である。
信号発生回路１００には、制御部２０（図１参照）より、ライン同期信号Ｌｓｙｎｃ、ビデオデータＶｄａｔａ、クロック信号ｃｌｋ、およびリセット信号ＲＳＴ等の各種制御信号が入力されるようになっている。そして、信号発生回路１００は、外部から入力されてくる各種制御信号に基づいて、例えばビデオデータＶｄａｔａの並べ替えや出力値の補正等を行い、各発光チップＣ（Ｃ１〜Ｃ６０）のそれぞれに対して発光信号φＩ（φＩ１〜φＩ６０）を出力する発光信号供給手段および発光信号供給部の一例としての発光信号発生部１１０を備えている。なお、本実施の形態では、各発光チップＣ（Ｃ１〜Ｃ６０）のそれぞれに、１個ずつ発光信号φＩ（φＩ１〜φＩ６０）が供給されるようになっている。
【００２２】
また、信号発生回路１００は、外部から入力されてくる各種制御信号に基づき、各発光チップＣ１〜Ｃ６０に対して転送信号の一例としての第１転送信号φ１および第２転送信号φ２を出力する転送信号供給手段および転送信号供給部の一例としての転送信号発生部１２０をさらに備えている。なお、本実施の形態では、各発光チップＣ（Ｃ１〜Ｃ６０）に、共通の第１転送信号φ１および第２転送信号φ２が供給されるようになっている。
【００２３】
回路基板６２には、各発光チップＣ１〜Ｃ６０のＶｇａ端子に接続される電力供給用のＶｇａ＝−５．０Ｖの電源ライン１０１およびＧＮＤ端子に接続される接地用の電源ライン１０２が設けられている。また、回路基板６２には、信号発生回路１００の転送信号発生部１２０から第１転送信号φ１、第２転送信号φ２をそれぞれ送信する第１転送信号ライン１０４、第２転送信号ライン１０５も設けられている。さらに、回路基板６２には、信号発生回路１００の発光信号発生部１１０から各発光チップＣ（Ｃ１〜Ｃ６０）に対して発光信号φＩ（φＩ１〜φＩ６０）を出力する６０本の発光信号ライン１０６（１０６_１〜１０６_６０）も設けられている。なお、発光信号φＩ１〜φＩ６０、第１転送信号φ１、第２転送信号φ２は、それぞれ、後述するようにハイレベル（Ｈ）およりローレベル（Ｌ）の２状態を取りうる。そして、ローレベルは−５．０Ｖの電位、ハイレベルは±０．０Ｖの電位となっている。
【００２４】
図６は、発光チップＣの回路構成を説明するための図である。なお、本実施の形態では、発光チップＣ１〜Ｃ６０が、すべて同じ構成を有している。
発光チップＣは、２６０個の転送サイリスタＴ１〜Ｔ２６０と２６０個の発光サイリスタＬ１〜Ｌ２６０とを備えている。なお、発光サイリスタＬ１〜Ｌ２６０は、転送サイリスタＴ１〜Ｔ２６０と同じｐｎｐｎ接続を有しており、その中のｐｎ接続を利用することで発光ダイオード（ＬＥＤ）としても機能するようになっている。また、発光チップＣは、１個のスタートダイオードＤｓと、２５９個の接続ダイオードＤ１〜Ｄ２５９と、２６０個の抵抗Ｒ１〜Ｒ２６０とを有している。さらに、発光チップＣは、第１転送信号φ１、第２転送信号φ２が供給される各信号線に過剰な電流が流れるのを防止するための転送電流制限抵抗Ｒ１Ａ、Ｒ２Ａと、発光信号φＩ（発光チップＣ１の場合は発光信号φＩ１）が供給される信号線に過剰な電流が流れるのを防止するための発光電流制限抵抗ＲＩＤとを有している。
【００２５】
なお、発光素子アレイ７１を構成する発光サイリスタＬ１〜Ｌ２６０は、図中左側からＬ１、Ｌ２、…、Ｌ２５９、Ｌ２６０の順で配列され、発光素子アレイ７１を形成している。また、複数のスイッチ素子の一例としての転送サイリスタＴ１〜Ｔ２６０も、図中左側からＴ１、Ｔ２、…、Ｔ２５９、Ｔ２６０の順で配列され、スイッチ素子アレイ７２を形成している。さらに、ダイオードＤ１〜Ｄ２５９も、図中左からＤ１、Ｄ２、…、Ｄ２５８、Ｄ２５９の順で配列されている。さらにまた、抵抗Ｒ１〜Ｒ２６０も、図中左からＲ１、Ｒ２、…Ｒ２５９、Ｒ２６０の順で配列されている。そして、発光素子アレイ７１およびスイッチ素子アレイ７２は、ほぼ平行となるように並べて配置されている。
【００２６】
次に、発光チップＣにおける各素子の電気的な接続について説明する。
まず、各転送サイリスタＴ１〜Ｔ２６０のアノード端子は、発光チップＣを構成する基板を介してＧＮＤ端子（図示せず）に接続されている。このＧＮＤ端子には電源ライン１０２（図５参照）が接続され、接地される。
【００２７】
また、奇数番目の転送サイリスタＴ１、Ｔ３、…、Ｔ２５９のカソード端子は、転送電流制限抵抗Ｒ１Ａを介してφ１端子に接続されている。このφ１端子には第１転送信号ライン１０４（図５参照）が接続され、第１転送信号φ１が供給される。
【００２８】
一方、偶数番目の転送サイリスタＴ２、Ｔ４、…、Ｔ２６０のカソード端子は、転送電流制限抵抗Ｒ２Ａを介してφ２端子に接続されている。このφ２端子には第２転送信号ライン１０５（図５参照）が接続され、第２転送信号φ２が供給される。
【００２９】
また、各転送サイリスタＴ１〜Ｔ２６０のゲート端子は、それぞれに対応して設けられた抵抗Ｒ１〜Ｒ２６０を介して、Ｖｇａ端子に接続されている。このＶｇａ端子には電源ライン１０１（図５参照）が接続され、電源電圧Ｖｇａ（−５．０Ｖ）が供給される。
【００３０】
さらに、各転送サイリスタＴ１〜Ｔ２６０のゲート端子は、対応する同番号の発光サイリスタＬ１〜Ｌ２６０のゲート端子に、１対１でそれぞれ接続されている。なお、以下の説明においては、各転送サイリスタＴ１〜Ｔ２６０のゲート端子と対応する同番号の発光サイリスタＬ１〜Ｌ２６０のゲート端子との接続点を、ゲート端子Ｇ１〜Ｇ２６０と呼ぶことにする。
【００３１】
また、各ゲート端子Ｇ１〜Ｇ２５９には、それぞれ接続ダイオードＤ１〜Ｄ２５９のアノード端子が接続されており、これら接続ダイオードＤ１〜Ｄ２５９のカソード端子は、それぞれに隣接する次段の転送サイリスタＴ２〜Ｔ２６０のゲート端子Ｇ２〜Ｇ２６０に接続されている。
【００３２】
これに対し、スタートダイオードＤｓのアノード端子は、転送電流制限抵抗Ｒ２Ａを介してφ２端子に接続されており、このスタートダイオードＤｓのカソード端子は、転送サイリスタＳ１のゲート端子Ｇ１に接続されている。
【００３３】
次に、各発光サイリスタＬ１〜Ｌ２６０のアノード端子は、各転送サイリスタＴ１〜Ｔ２６０のアノード端子と同様、発光チップＣを構成する基板を介してＧＮＤ端子（図示せず）に接続されている。
【００３４】
また、各発光サイリスタＬ１〜Ｌ２６０のカソード端子は、発光電流制限抵抗ＲＩＤを介してφＩ端子に接続されている。このφＩ端子には、発光信号ライン１０６（発光チップＣ１の場合は発光信号ライン１０６_１：図５参照）が接続され、発光信号φＩ（発光チップＣ１の場合は発光信号φＩ１）が供給される。なお、他の発光チップＣ２〜Ｃ６０には、それぞれ、対応する発光信号φＩ２〜φＩ６０が供給される。
【００３５】
そして、図６に示す発光チップＣにおいて、図中左側に設けられる４個の発光サイリスタＬ１〜Ｌ４および図中右側に設けられる４個の発光サイリスタＬ２５７〜Ｌ２６０は、発光部６３を形成した際に、図４に示した重なり部を構成することになる。
【００３６】
なお、発光チップＣは、このように２６０個の発光サイリスタＬ１〜Ｌ２６０を有するが、実際の画像形成動作においては、全発光サイリスタの数より少ない数の発光サイリスタを、発光点として使用する。ここで、「発光点」は、画像形成動作（露光動作）において、発光または非発光させる対象となる発光サイリスタＬをいう。より具体的に説明すると、通常は、中央部において連続する２５６個の発光サイリスタＬ３〜Ｌ２５８を、発光点として使用する。ただし、後述する主走査方向の位置補正を行った結果に応じて、図中左側の発光サイリスタＬ１、Ｌ２あるいは図中右側の発光サイリスタＬ２５９、Ｌ２６０を含んで連続する２５６個の発光サイリスタを、発光点として使用することもある。
【００３７】
ただし、隣接する２つの発光チップＣ（例えば発光チップＣ１および発光チップＣ２）の重なり部において、主走査方向の位置が同一となる２つの発光サイリスタ（例えば発光チップＣ１における発光サイリスタＬ２５８および発光チップＣ２における発光サイリスタＬ２）については、いずれか一方が発光点として使用され、他方は発光点として使用されないようになっている。なお、以下の説明では、各発光チップＣを構成する発光サイリスタＬ１〜Ｌ２６０のうち、発光点として使用されない発光サイリスタＬを、「非発光点」と呼ぶ。
【００３８】
以下の説明では、発光チップＣの中央部に設けられる２５６個の発光サイリスタＬ３〜Ｌ２５８を、通常発光点群ＬＡと呼ぶ。これに対し、発光チップＣの左端部に設けられる２個の発光サイリスタＬ１、Ｌ２を、第１予備発光点群ＬＢと呼び、発光チップＣの右端部に設けられる２個のサイリスタＬ２５９、Ｌ２６０を、第２予備発光点群ＬＣと呼ぶ。ここで、通常発光点群ＬＡは第１の発光素子群に、第１予備発光点群ＬＢは第２の発光素子群に、第２予備発光点群ＬＣは第３の発光素子群に、それぞれ対応する。
【００３９】
図７は、図５に示す発光信号発生部１１０の構成の一例を示す図である。
この発光信号発生部１１０は、入力されてくるビデオデータＶｄａｔａの並べ替えを行い、各発光チップＣ１〜Ｃ６０のそれぞれに対し個別の発光チップ用の画像データを出力する画像データ並べ替え部１１１を備える。また、発光信号発生部１１０は、各発光チップＣ１〜Ｃ６０のそれぞれに対し予め定められた主走査方向の位置補正データを記憶する位置補正データ記憶部１１２を備える。さらに、発光信号発生部１１０は、各発光チップＣ１〜Ｃ６０のそれぞれに対応して設けられ、画像データ並べ替え部１１１から入力されてくる個別の発光チップ用の画像データに、位置補正データ記憶部１１２から読み出した個別の発光チップ用の位置補正データを用いた補正を行い、得られた発光信号φＩ１〜φＩ６０を出力する６０個の発光信号生成部１１４（１１４_１〜１１４_６０）を備える。
【００４０】
なお、ＬＰＨ１４を構成する発光部６３では、上述したように主走査方向の出力解像度が１２００ｄｐｉとなっているが、本実施の形態では、発光信号発生部１１０に入力されてくるビデオデータＶｄａｔａの主走査方向の解像度（第２の解像度）が、６００ｄｐｉすなわちＬＰＨ１４の出力解像度の半分（１／２）となっている。このため、本実施の形態では、転送信号発生部１２０における第１転送信号φ１および第２転送信号φ２の生成手法、および、発光信号発生部１１０の各発光信号生成部１１４（１１４_１〜１１４_６０）における各発光信号φＩ（φＩ１〜φＩ６０）の生成手法に工夫を施し、対応する各発光チップＣ（Ｃ１〜Ｃ６０）において、主走査方向に連続する２個の発光サイリスタＬを１組として駆動させるようにすることで、発光部６３を６００ｄｐｉ相当の出力解像度で動作させるようになっている。また、本実施の形態では、各発光チップＣ（Ｃ１〜Ｃ６０）において、主走査方向に連続する２個の発光サイリスタＬの組分けを１つずつ最大で２つ分シフトさせることで、後述する主走査方向の位置補正を行わせるようになっている。
【００４１】
では、ＬＰＨ１４における主走査方向の位置補正について説明する。
本実施の形態では、図１を用いて説明したように、画像形成装置１において、４つの画像形成ユニット１１（１１Ｙ、１１Ｍ、１１Ｃ、１１Ｋ）を用いて画像形成を行っている。このため、ＬＰＨ１４も色毎に設けられている。ここで、各ＬＰＨ１４の装着対象となる画像形成装置１のフレームの精度やＬＰＨ１４自体の精度には限界があるため、画像形成装置１に対して、各ＬＰＨ１４の主走査方向位置を一致させて装着することは困難である。そこで、この画像形成装置１では、各ＬＰＨ１４から出射される光の主走査方向位置を精度よく合わせるために、各ＬＰＨ１４において主走査方向の位置補正が行われる。
【００４２】
図８は、各画像形成ユニット１１（具体的には１１Ｙ、１１Ｍ、１１Ｃ、１１Ｋ）を構成する各ＬＰＨ１４（具体的には１４Ｙ、１４Ｍ、１４Ｃ、１４Ｋ）を、画像形成装置１のフレーム（図示せず）に取り付けた状態の一例を示す図である。なお、図８においては、図中左側が図１に示す画像形成装置１の手前側（ＩＮ）となっており、図中右側が奥側（ＯＵＴ）となっている。また、主走査方向の位置補正は、いずれかのＬＰＨ１４を基準として行うが、ここでは、イエロー用のＬＰＨ１４Ｙを基準とし、マゼンタ用のＬＰＨ１４Ｍ、シアン用のＬＰＨ１４Ｃおよび黒用のＬＰＨ１４Ｋにおいてそれぞれ主走査方向の位置補正を行う場合について説明する。
【００４３】
なお、主走査方向の位置補正を行う前の初期状態において、各ＬＰＨ１４の各発光チップＣ１〜Ｃ６０では、それぞれにおける通常発光点群ＬＡ（発光サイリスタＬ３〜Ｌ２５８）が、発光点として設定されているものとする。したがって、ＩＮ側の端部に位置する１番目の発光点は、発光チップＣ１の発光サイリスタＬ３（図６参照）となる。一方、ＯＵＴ側の端部に位置する１５３６０番目の発光点は、発光チップＣ６０の発光サイリスタＬ２５８（図６参照）となる。
【００４４】
また、本実施の形態では、上述したように、１２００ｄｐｉの主走査方向の出力解像度を有するＬＰＨ１４を、６００ｄｐｉでの出力に用いるために、２個の発光点を画像における１個の画素の形成に使用する。このため、初期状態においては、発光チップＣ１の発光サイリスタＬ３、Ｌ４（１番目の発光点、２番目の発光点：図６参照）が１番目の画素となる第１画素Ｖ１の形成に用いられ、発光チップＣ６０の発光サイリスタＬ２５７、Ｌ２５８（１５３５９番目の発光点、１５３６０番目の発光点：図６参照）が７６８０番目の画素となる第７６８０画素Ｖ７６８０の形成に用いられるように設定されている。なお、ここでは、イエロー用のＬＰＨ１４Ｙにおける第１画素Ｖ１の主走査方向位置を第１基準位置Ｕ１とし、第７６８０画素Ｖ７６８０の主走査方向位置を第２基準位置Ｕ２とする。
【００４５】
すると、マゼンタ用のＬＰＨ１４Ｍでは、第１画素Ｖ１の主走査方向位置が第１基準位置Ｕ１に対し０．５画素（発光点１つ分）だけＯＵＴ側にずれ、且つ、第７６８０画素Ｖ７６８０の主走査方向位置も第２基準位置Ｕ２に対し０．５画素（発光点１つ分）だけＯＵＴ側にずれている。したがって、マゼンタ用のＬＰＨ１４Ｍは、イエロー用のＬＰＨ１４Ｙに対し、主走査方向ＯＵＴ側に０．５画素分だけ主走査方向の位置ずれが生じていることになる。以下の説明では、このような位置ずれをＯＵＴ側半画素ずれと呼ぶ。
【００４６】
また、シアン用のＬＰＨ１４Ｃでは、第１画素Ｖ１の主走査方向位置が第１基準位置Ｕ１に対し１画素（発光点２つ分）だけＯＵＴ側にずれ、且つ、第７６８０画素Ｖ７６８０の主走査方向位置も第２基準位置Ｕ２に対し１画素（発光点２つ分）だけＯＵＴ側にずれている。したがって、シアン用のＬＰＨ１４Ｃは、イエロー用のＬＰＨ１４Ｙに対し、主走査方向ＯＵＴ側に１画素分だけ主走査方向の位置ずれが生じていることになる。以下の説明では、このような位置ずれをＯＵＴ側１画素ずれと呼ぶ。
【００４７】
一方、黒用のＬＰＨ１４Ｋでは、第１画素Ｖ１の主走査方向位置が第１基準位置Ｕ１に対し０．５画素（発光点１つ分）だけＩＮ側にずれ、且つ、第７６８０画素Ｖ７６８０の主走査方向位置も第２基準位置Ｕ２に対し０．５画素（発光点１つ分）だけＩＮ側にずれている。したがって、黒用のＬＰＨ１４Ｋは、イエロー用のＬＰＨ１４Ｙに対し、主走査方向ＩＮ側に０．５画素分だけ主走査方向の位置ずれが生じていることになる。以下の説明では、このような位置ずれをＩＮ側半画素ずれと呼ぶ。
【００４８】
なお、これ以外にも、例えば第１画素Ｖ１の主走査方向位置が第１基準位置Ｕ１に対し１画素（発光点２つ分）だけＩＮ側にずれ、且つ、第７６８０画素Ｖ７６８０の主走査方向位置も第２基準位置Ｕ２に対し１画素（発光点２つ分）だけＩＮ側にずれることにより、主走査方向ＩＮ側に１画素分だけ主走査方向の位置ずれが生じることもある。以下の説明では、このような位置ずれをＩＮ側１画素ずれと呼ぶ。
【００４９】
図９は、イエロー、マゼンタ、シアンおよび黒の各色と、各色のＬＰＨ１４に設けられた位置補正データ記憶部１１２（図７参照）に記憶される位置補正データＲとの関係を説明するための図である。なお、図９は、イエロー用のＬＰＨ１４Ｙ、マゼンタ用のＬＰＨ１４Ｍ、シアン用のＬＰＨ１４Ｍおよび黒用のＬＰＨ１４Ｋが、図８に示す状態で取り付けられた場合に設定される位置補正データＲを示している。なお、各発光チップＣに対する位置補正データＲは、例えば工場出荷時やＬＰＨ１４の交換時等において取得され、位置補正データ記憶部１１２に記憶される。そして、各ＬＰＨ１４において、発光信号生成部１１４_１〜１１４_６０が位置補正データ部１１２から位置補正データＲを読み出し、それぞれのＬＰＨ１４を構成する６０個の発光チップＣ１〜Ｃ６０に対し、同じ値の位置補正データＲを用いて一律に主走査方向の位置補正を行う。
【００５０】
図９に示すように、主走査方向の位置合わせの基準となるイエロー用のＬＰＨ１４Ｙに対しては、位置補正データＲとして「０」が設定されている。また、イエロー用のＬＰＨ１４Ｙに対しＯＵＴ側半画素ずれが生じているマゼンタ用のＬＰＨ１４Ｍに対しては、位置補正データＲとして「−１」が設定されている。さらに、イエロー用のＬＰＨ１４Ｙに対しＯＵＴ側１画素ずれが生じているシアン用のＬＰＨ１４Ｃに対しては、位置補正データＲとして「−２」が設定されている。さらにまた、イエロー用のＬＰＨ１４Ｙに対しＩＮ側半画素ずれが生じている黒用のＬＰＨ１４Ｋに対しては、位置補正データＲとして「＋１」が設定されている。なお、仮に、イエロー用のＬＰＨ１４Ｙに対しＩＮ側１画素ずれが生じているＬＰＨ１４が存在する場合、このＬＰＨ１４に対しては、位置補正データＲとして「＋２」が設定されることになる。
【００５１】
図１０は、上述した位置補正データＲと、位置補正に伴う発光チップＣでの発光点の変化との関係を説明するための図である。ここで、図１０（ａ）はＲ＝０の場合を、図１０（ｂ）はＲ＝−１の場合を、図１０（ｃ）はＲ＝−２の場合を、図１０（ｄ）はＲ＝＋１の場合を、そして図１０（ｅ）はＲ＝＋２の場合を、それぞれ示している。
【００５２】
図１０（ａ）に示すように、Ｒ＝０の場合、発光チップＣにおける発光点は、通常発光点群ＬＡのまますなわち発光サイリスタＬ３〜Ｌ２５８となる。そして、発光チップＣは、２５６個の発光サイリスタＬ３〜Ｌ２５８を用いて１２８個の画素Ｗ１〜Ｗ１２８を形成することになるが、その際、各画素Ｗ１〜Ｗ１２８は、それぞれ、奇数番目の発光サイリスタとその右側に隣接する偶数番目の発光サイリスタとによって形成される。より具体的に説明すると、例えば図中左側の画素Ｗ１は、発光サイリスタＬ３、Ｌ４によって形成され、例えば図中右側の画素Ｗ１２８は、発光サイリスタＬ２５７、Ｌ２５８によって形成される。
【００５３】
これに対し、図１０（ｂ）に示すように、Ｒ＝−１の場合、発光チップＣにおける発光点は、通常発光点群ＬＡから発光サイリスタＬ２５８を除いたものに、第１予備発光点群ＬＢの発光サイリスタＬ２を加えたものとなる。すなわち、発光チップＣにおける発光点は、発光サイリスタＬ２〜Ｌ２５７となり、ＩＮ側に１つだけずれる。そして、発光チップＣは、２５６個の発光サイリスタＬ２〜Ｌ２５７を用いて１２８個の画素Ｗ１〜Ｗ１２８を形成することとなるが、その際、各画素Ｗ１〜Ｗ１２８は、それぞれ、偶数番目の発光サイリスタとその右側に隣接する奇数番目の発光サイリスタとによって形成される。より具体的に説明すると、例えば図中左側の画素Ｗ１は、発光サイリスタＬ２、Ｌ３によって形成され、例えば図中右側の画素Ｗ１２８は、発光サイリスタＬ２５６、Ｌ２５７によって形成される。
【００５４】
さらに、図１０（ｃ）に示すように、Ｒ＝−２の場合、発光チップＣにおける発光点は、通常発光点群ＬＡから発光サイリスタＬ２５７、Ｌ２５８を除いたものに、第１予備発光点群ＬＢの発光サイリスタＬ１、Ｌ２を加えたものとなる。すなわち、発光チップＣにおける発光点は、発光サイリスタＬ１〜Ｌ２５６となり、ＩＮ側に２つだけずれる。そして、発光チップＣは、２５６個の発光サイリスタＬ１〜Ｌ２５６を用いて１２８個の画素Ｗ１〜Ｗ１２８を形成することとなるが、その際、各画素Ｗ１〜Ｗ１２８は、それぞれ、奇数番目の発光サイリスタとその右隣に隣接する偶数番目の発光サイリスタとによって形成される。より具体的に説明すると、例えば図中左側の画素Ｗ１は、発光サイリスタＬ１、Ｌ２によって形成され、例えば図中右側の画素Ｗ１２８は、発光サイリスタＬ２５５、Ｌ２５６によって形成される。
【００５５】
一方、図１０（ｄ）に示すように、Ｒ＝＋１の場合、発光チップＣにおける発光点は、通常発光点群ＬＡから発光サイリスタＬ３を除いたものに、第２予備発光点群ＬＣの発光サイリスタＬ２５９を加えたものとなる。すなわち、発光チップＣにおける発光点は、発光サイリスタＬ４〜Ｌ２５９となり、ＯＵＴ側に１つだけずれる。そして、発光チップＣは、２５６個の発光サイリスタＬ４〜Ｌ２５９を用いて１２８個の画素Ｗ１〜Ｗ１２８を形成することとなるが、その際、各画素Ｗ１〜Ｗ１２８は、それぞれ、偶数番目の発光サイリスタとその右側に隣接する奇数番目の発光サイリスタとによって形成される。より具体的に説明すると、例えば図中左側の画素Ｗ１は、発光サイリスタＬ４、Ｌ５によって形成され、例えば図中右側の画素Ｗ１２８は、発光サイリスタＬ２５８、Ｌ２５９によって形成される。
【００５６】
さらに、図１０（ｅ）に示すように、Ｒ＝＋２の場合、発光チップＣにおける発光点は、通常発光点群ＬＡから発光サイリスタＬ３、Ｌ４を除いたものに、第２予備発光点群ＬＣの発光サイリスタＬ２５９、Ｌ２６０を加えたものとなる。すなわち、発光チップＣにおける発光点は、発光サイリスタＬ５〜Ｌ２６０となり、ＯＵＴ側に２つだけずれる。そして、発光チップＣは、２５６個の発光サイリスタＬ５〜Ｌ２６０を用いて１２８個の画素Ｗ１〜Ｗ１２８を形成することとなるが、その際、各画素Ｗ１〜Ｗ１２８は、それぞれ、奇数番目の発光サイリスタとその右側に隣接する偶数番目の発光サイリスタとによって形成される。より具体的に説明すると、例えば図中左側の画素Ｗ１は、発光サイリスタＬ５、Ｌ６によって形成され、例えば図中右側の画素Ｗ１２８は、発光サイリスタＬ２５９、Ｌ２６０によって形成される。
【００５７】
このように、本実施の形態では、位置補正データＲの値に関わらず、各発光チップＣにおいて常に１２８組すなわち２５６個の発光サイリスタＬが発光点として設定され、残りの４個の発光サイリスタＬが非発光点として設定されることになる。
【００５８】
では、図１に示す画像形成装置１における各ＬＰＨ１４の露光動作について説明する。
画像形成動作が開始されると、制御部２０は、各画像形成ユニット１１を構成する各ＬＰＨ１４の信号発生回路１００に対し、ビデオデータＶｄａｔａを送る。そして、各ＬＰＨ１４に設けられた信号発生回路１００では、転送信号発生部１２０が、入力されてくる制御信号等に基づいて作成した第１転送信号φ１および第２転送信号φ２を、発光部６３を構成する６０個の発光チップＣ（Ｃ１〜Ｃ６０）に出力する。また、信号発生回路１００では、発光信号発生部１１０が、入力されてくるビデオデータＶｄａｔａに基づいて作成した、主走査方向１ライン分に対応する６０個の発光信号φＩ（φＩ１〜φＩ６０）を、発光部６３を構成する６０個の発光チップＣ（Ｃ１〜Ｃ６０）に出力する。そして、各ＬＰＨ１４の発光部６３では、各発光チップＣ１〜Ｃ６０が、それぞれに入力される各発光信号φＩ１〜φＩ６０に応じて、搭載する発光サイリスタＬ１〜Ｌ２６０を、それぞれ発光／非発光に設定することにより、感光体ドラム１２を選択的に露光する。なお、このとき、各発光チップＣ１〜Ｃ６０では、それぞれに設けられた発光サイリスタＬ１〜Ｌ２６０のうち、発光点に設定された発光サイリスタＬが発光または非発光のいずれかの状態に設定される一方、非発光点に設定された発光サイリスタＬはすべて非発光の状態に設定される。
【００５９】
図１１は、図８に示す状態で取り付けがなされた各ＬＰＨ１４における、発光チップＣ１〜Ｃ６の発光点を示す図である。ここで、図１１（ａ）はイエロー用のＬＰＨ１４Ｙを、図１１（ｂ）はマゼンタ用のＬＰＨ１４Ｍを、図１１（ｃ）はシアン用のＬＰＨ１４Ｃを、そして図１１（ｄ）は黒用のＬＰＨ１４Ｋを、それぞれ示している。なお、各ＬＰＨ１４を構成する各発光チップＣ（Ｃ１〜Ｃ６０）の発光点は、それぞれ、図９に示す各色用の位置補正データＲによって補正されている。
【００６０】
図１１（ａ）に示すように、イエロー用のＬＰＨ１４Ｙでは、すべての発光チップＣ１〜Ｃ６０において、発光点が通常発光点群ＬＡとなる。このとき、隣接する発光チップＣ１〜Ｃ６０のすべての重なり部（図４参照）において、発光点は主走査方向に連続することになる。
【００６１】
これに対し、図１１（ｂ）に示すように、マゼンタ用のＬＰＨ１４Ｍでは、すべての発光チップＣ１〜Ｃ６０において、発光点が通常発光点群ＬＡから発光点１個分だけＩＮ側にシフトしたものとなる。これにより、図８に示したマゼンタ用のＬＰＨ１４ＭのＯＵＴ側半画素ずれは、イエロー用のＬＰＨ１４Ｙと一致する方向に補正される。この場合も、隣接する発光チップＣ１〜Ｃ６０のすべての重なり部（図４参照）において、発光点は主走査方向に連続することになる。
【００６２】
また、図１１（ｃ）に示すように、シアン用のＬＰＨ１４Ｃでは、すべての発光チップＣ１〜Ｃ６０において、発光点が通常発光点群ＬＡから発光点２個分だけＩＮ側にシフトしたものとなる。これにより、図８に示したシアン用のＬＰＨ１４ＣのＯＵＴ側１画素ずれは、イエロー用のＬＰＨ１４Ｙと一致する方向に補正される。この場合も、隣接する発光チップＣ１〜Ｃ６０のすべての重なり部（図４参照）において、発光点は主走査方向に連続することになる。
【００６３】
さらに、図１１（ｄ）に示すように、黒用のＬＰＨ１４Ｋでは、すべての発光チップＣ１〜Ｃ６０において、発光点が通常発光点群ＬＡが発光点１個分だけＯＵＴ側にシフトしたものとなる。これにより、図８に示した黒用のＬＰＨ１４ＫのＩＮ側半画素ずれは、イエロー用のＬＰＨ１４Ｙと一致する方向に補正される。この場合も、隣接する発光チップＣ１〜Ｃ６０のすべての重なり部（図４参照）において、発光点は主走査方向に連続することになる。
【００６４】
そして、このような位置補正を行うに際して、隣接する発光チップＣ間で画像データのシフトを行わせる必要はなく、各発光チップＣ内において発光点を移動させるだけで、主走査方向の位置合わせが実現されることになる。
【００６５】
続いて、各ＬＰＨ１４を構成する各発光チップＣ１〜Ｃ６０の動作について詳細に説明する。
本実施の形態では、各発光チップＣ１〜Ｃ６０に対して共通の第１転送信号φ１および第２転送信号φ２を供給するとともに、各発光チップＣ１〜Ｃ６０に対してそれぞれ個別の発光信号φＩ１〜φＩ６０を供給することで、各発光チップＣ１〜Ｃ６０における発光制御を行っている。
【００６６】
図１２は、各発光チップＣ１〜Ｃ６０に共通に供給される第１転送信号φ１および第２転送信号φ２の波形を説明するための図である。また、図１３は、図１２に示す各期間における第１転送信号φ１および第２転送信号φ２の状態を説明するための図である。なお、この説明では、初期状態において、第１転送信号φ１がハイレベル（Ｈ）に、第２転送信号φ２がローレベル（Ｌ）に、それぞれ設定されているものとする。
【００６７】
図１２および図１３に示すように、まず、第１転送信号φ１がハイレベルからローレベルに変更された状態で維持される一方、第２転送信号φ２が引き続きローレベルに維持される第１の期間Ｔａが設けられる。第１の期間Ｔａに続いて、第１転送信号φ１が引き続きローレベルに維持される一方、第２転送信号φ２がローレベルからハイレベルに変更された状態で維持される第２の期間Ｔｂが設けられる。第２の期間Ｔｂに続いて、第１転送信号φ１が引き続きローレベルに維持される一方、第２転送信号φ２がハイレベルからローレベルに変更された状態で維持される第３の期間Ｔｃが設けられる。第３の期間Ｔｃに続いて、第１転送信号φ１が引き続きローレベルに維持される一方、第２転送信号φ２がローレベルからハイレベルに変更された状態で維持される第４の期間Ｔｄが設けられる。第４の期間Ｔｄに続いて、第１転送信号φ１が引き続きローレベルに維持される一方、第２転送信号φ２がハイレベルからローレベルに変更された状態で維持される第５の期間Ｔｅが設けられる。第５の期間Ｔｅに続いて、第１転送信号φ１がローレベルからハイレベルに変更された状態で維持される一方、第２転送信号φ２が引き続きローレベルに維持される第６の期間Ｔｆが設けられる。第６の期間Ｔｆに続いて、第１転送信号φ１がハイレベルからローレベルに変更された状態で維持される一方、第２転送信号φ２が引き続きローレベルに維持される第７の期間Ｔｇが設けられる。第７の期間Ｔｇに引き続いて、第１転送信号φ１がローレベルからハイレベルに変更された状態で維持される一方、第２転送信号φ２が引き続きローレベルに維持される第８の期間Ｔｈが設けられる。
【００６８】
そして、第８の期間Ｔｈが経過した後は第１の期間Ｔａが再び設定され、以後、第１の期間Ｔａ〜第８の期間Ｔｈを順次繰り返すように第１転送信号φ１および第２転送信号φ２の供給が行われる。これにより、各発光チップＣ１〜Ｃ６０に対し、第１の期間Ｔａから第８の期間Ｔｈまでを１周期すなわち転送周期Ｔとする第１転送信号φ１および第２転送信号φ２が供給されることになる。
なお、図１２および図１３から明らかなように、期間Ｔａ〜期間Ｔｄと期間Ｔｅ〜期間Ｔｈとでは、第１転送信号φ１と第２転送信号φ２との大小関係（ハイレベル−ローレベルの関係）が逆転している。
【００６９】
このように、本実施の形態では、第１転送信号φ１および第２転送信号φ２が共にローレベルとなる重なり期間（第１の期間Ｔａおよび第５の期間Ｔｅ）を設けつつ、交互にハイレベル、ローレベルの切り替えが行われるようになっている。ただし、第１転送信号φ１がローレベルとなっている第１の期間Ｔａの終了後から第５の期間Ｔｅの開始前までの期間において、第２転送信号φ２がハイレベルとなる第２の期間Ｔｂと第４の期間Ｔｄとの間には、第２転送信号φ２がローレベルとなる第３の期間Ｔｃを設けている。また、第２転送信号φ２がローレベルとなっている第５の期間Ｔｅの終了後から第１の期間Ｔａの開始前までの期間において、第１転送信号φ１がハイレベルとなる第６の期間Ｔｆと第８の期間Ｔｈとの間には、第１転送信号φ１がローレベルとなる第７の期間Ｔｇを設けている。つまり、第１の期間Ｔａ、第３の期間Ｔｃ、第５の期間Ｔｅおよび第７の期間Ｔｇでは、第１転送信号φ１および第２転送信号φ２の両者がローレベルに設定されるのに対し、第２の期間Ｔｂ、第４の期間Ｔｄ、第６の期間Ｔｆおよび第８の期間Ｔｈでは、第１転送信号φ１および第２転送信号φ２のいずれか一方がハイレベルに、他方がローレベルに設定される。
【００７０】
本実施の形態において、第３の期間Ｔｃは、第４の期間Ｔｄが第２の期間Ｔｂよりも長くなるように、ローレベルおよびハイレベルへの変更タイミングが決められている。一方、第７の期間Ｔｇも、第８の期間Ｔｈが第６の期間Ｔｆよりも長くなるように、ローレベルおよびハイレベルへの変更タイミングが決められている。第３の期間Ｔｃおよび第７の期間Ｔｇは、第４の期間Ｔｄおよび第８の期間Ｔｈよりも短く設定されている。なお、この理由については後述する。
【００７１】
さて、本実施の形態では、上述したように、各発光チップＣ１〜Ｃ６０において、主走査方向に連続する２個の発光サイリスタＬを１組として駆動を行い、且つ、その組み合わせを奇数番目とそれに隣接する偶数番目とするか、あるいは、偶数番目とそれに隣接する奇数番目とするかにより、各ＬＰＨ１４における主走査方向の位置補正を行っている。
【００７２】
では最初に、図１４および図１５を参照しながら、奇数番目の発光サイリスタとその後段に隣接する偶数番目の発光サイリスタとを組として駆動する場合（奇数−偶数モードと呼ぶ：第１のモードに対応）における発光チップＣの動作について説明を行う。
そして、次に、図１６および図１７を参照しながら、偶数番目の発光サイリスタとその後段に隣接する奇数番目の発光サイリスタとを組として駆動する場合（偶数−奇数モードと呼ぶ；第２のモードに対応）における発光チップＣの動作について説明を行う。
なお、位置補正データＲが０、−２あるいは＋２に設定されたＬＰＨ１４は、奇数−偶数モードで動作する。また、位置補正データＲが−１あるいは＋１に設定されたＬＰＨ１４は、偶数−奇数モードで動作する。ただし、以下では、説明を簡略化するため、上述した主走査方向の位置補正については考慮しない。
【００７３】
図１４は、奇数−偶数モードにおいて、１３０組すなわちすべての発光サイリスタＬ１〜Ｌ２６０を発光させる場合（奇数−偶数全発光動作と呼ぶ）における発光チップＣの動作を説明するためのタイミングチャートである。
また、図１５は、奇数−偶数モードにおいて、１組おきに６５組すなわち発光サイリスタＬ１およびＬ２、Ｌ５およびＬ６、Ｌ９およびＬ１０、…を発光させる場合（奇数−偶数交互発光動作と呼ぶ）における発光チップＣの動作を説明するためのタイミングチャートである。
ただし、図１４および図１５には、発光サイリスタＬ１〜Ｌ２６０のうち、発光サイリスタＬ１〜Ｌ１０の動作のみを示しており、これらよりも後段の発光サイリスタＬ１１〜Ｌ２６０の動作については、その記載を省略している。
【００７４】
さらに、図１６は、偶数−奇数モードにおいて、１２９組すなわち両端を除く発光サイリスタＬ２〜Ｌ２５９を発光させる場合（偶数−奇数全発光動作と呼ぶ）における発光チップＣの動作を説明するためのタイミングチャートである。
さらにまた、図１７は、偶数−奇数モードにおいて、１組おきに６４組すなわち発光サイリスタＬ２およびＬ３、Ｌ６およびＬ７、Ｌ１０およびＬ１１、…を発光させる場合（偶数−奇数交互発光動作と呼ぶ）における発光チップＣの動作を説明するためのタイミングチャートである。
ただし、図１６および図１７には、発光サイリスタＬ１〜Ｌ２６０のうち、発光サイリスタＬ１〜Ｌ１１の動作のみを示しており、これらよりも後段の発光サイリスタＬ１２〜Ｌ２６０の動作については、その記載を省略している。
【００７５】
なお、図１４〜図１７に示すように、初期状態においては、第１転送信号φ１、第２転送信号φ２および発光信号φＩが、それぞれハイレベル（Ｈ）に設定されているものとする。また、初期状態においては、発光チップＣを構成する転送サイリスタＴ１〜Ｔ２６０および発光サイリスタＬ１〜Ｌ２６０が、すべてオフ状態にあるものとする。
【００７６】
また、図１４〜図１７においては、オン状態に設定される転送サイリスタを＜Ｘ＞で表す。つまり、例えば転送サイリスタＴ１がオンしている場合は＜１＞と表示している。一方、図１４〜図１７においては、オン状態に設定されることにより発光する発光サイリスタを（Ｙ）で表す。したがって、例えば発光サイリスタＬ１が発光している場合は（１）と表示している。ただし、本実施の形態では、発光チップＣにおいて隣接する２つの発光サイリスタが同時に発光することから、例えば（１）（２）と表示している。
【００７７】
≪奇数−偶数モード≫
（奇数−偶数全発光動作）
まず、図６および図１４に示すタイミングチャートを参照しつつ、奇数−偶数全発光動作について説明を行う。
初期状態において、発光チップＣの転送サイリスタＴ１のゲート端子Ｇ１には、スタートダイオードＤｓを介してハイレベルの第２転送信号φ２が供給されている。このとき、接続ダイオードＤ１〜Ｄ２５９を介して、他の転送サイリスタＴ２〜Ｔ２６０のゲート端子Ｇ２〜Ｇ２６０にも第２転送信号φ２が供給される。ただし、各接続ダイオードＤ１〜Ｄ２６０でそれぞれ電圧降下が生じるため、転送サイリスタＴ１のゲート端子Ｇ１にかかる電圧が最も高くなる。
【００７８】
そして、第２転送信号φ２がハイレベルとなっている状態で、第１転送信号φ１が、ハイレベルからローレベル（Ｌ）に変更される（図１４（ａ））。第２転送信号φ２がハイレベルとなっている状態において、ローレベルの第１転送信号φ１が供給されると、発光チップＣでは、ローレベルの第１転送信号φ１が供給される奇数番目の転送サイリスタＴ１、Ｔ３、…、Ｔ２５９のうち、ゲート電圧が最も高く、閾値電圧以上となる転送サイリスタＴ１がターンオンする。また、このとき、第２転送信号φ２はハイレベルとなっているので、偶数番目の転送サイリスタＴ２、Ｔ４、…、Ｔ２６０のカソード電圧は高いままとなり、オフの状態が維持される。この結果、発光チップＣでは、奇数番目の転送サイリスタＴ１のみがオンした状態となる。
【００７９】
転送サイリスタＴ１がオンしている状態において、第２転送信号φ２がハイレベルからローレベルに変更される（図１４（ｂ））。すると、ローレベルの第２転送信号φ２が供給される偶数番目の転送サイリスタＴ２、Ｔ４、…、Ｔ２６０のうち、ゲート電圧が最も高く、閾値以上となる転送サイリスタＴ２がターンオンする。このとき、発光チップＣでは、奇数番目の転送サイリスタＴ１とこれに隣接する偶数番目の転送サイリスタＴ２とが、共にオンした状態となる。
【００８０】
そして、転送サイリスタＴ１およびＴ２が共にオンしている状態において、発光信号φＩがハイレベルからローレベルに変更される（図１４（ｃ））。これに伴い、奇数番目の発光サイリスタＬ１およびこれに隣接する偶数番目の発光サイリスタＬ２が共にオンして発光を開始する。
【００８１】
次に、転送サイリスタＴ１およびＴ２が共にオンし、且つ、発光サイリスタＬ１およびＬ２が共にオンすなわち発光している状態において、第２転送信号φ２がローレベルからハイレベルに変更される（図１４（ｄ））。これに伴い、転送サイリスタＴ１はオン状態を維持する一方、転送サイリスタＴ２はオン状態からオフ状態へと移行する。ただし、転送サイリスタＴ２がオフ状態となっても、一旦オン状態となった発光サイリスタＬ２は、サイリスタ固有の特性によりオフ状態とはならず、発光し続ける。したがって、このときも、発光サイリスタＬ１およびＬ２が共に発光を続行する。
【００８２】
続いて、転送サイリスタＴ１がオンに維持される一方、転送サイリスタＴ２がオフになり、且つ、発光サイリスタＬ１およびＬ２が共にオンすなわち発光している状態において、第２転送信号φ２が再びハイレベルからローレベルに変更される（図１４（ｅ））。すると、ローレベルの第２転送信号φ２が供給される偶数番目の転送サイリスタＴ２、Ｔ４、…、Ｔ２６０のうち、発光中の発光サイリスタＬ２とゲート同士が接続されている転送サイリスタＴ２が再びターンオンする。このとき、発光チップＣでは、奇数番目の転送サイリスタＴ１とこれに隣接する偶数番目の転送サイリスタＴ２とが、共にオンした状態となる。このときも、発光サイリスタＬ１およびＬ２が共に発光を続行する。
【００８３】
さらに、転送サイリスタＴ１およびＴ２が共にオンし、且つ、発光サイリスタＬ１およびＬ２が共にオンすなわち発光している状態において、第１転送信号φ１がローレベルからハイレベルに変更される（図１４（ｆ））。これに伴い、転送サイリスタＴ２はオン状態を維持する一方、転送サイリスタＴ１はオン状態からオフ状態へと移行する。ただし、転送サイリスタＴ１がオフ状態となっても、一旦オン状態となった発光サイリスタＬ１は、サイリスタ固有の特性によりオフ状態とはならず、発光し続ける。したがって、このときも、発光サイリスタＬ１およびＬ２が共に発光を続行する。
【００８４】
続いて、転送サイリスタＴ２がオンに維持される一方、転送サイリスタＴ１がオフになり、且つ、発光サイリスタＬ１およびＬ２が共に発光している状態において、第１転送信号φ１が再びハイレベルからローレベルに変更される（図１４（ｇ））。すると、ローレベルの第１転送信号φ１が供給される奇数番目の転送サイリスタＴ１、Ｔ３、…、Ｔ２５９のうち、発光中の発光サイリスタＬ１とゲート同士が接続されている転送サイリスタＴ１が再びターンオンする。このとき、発光チップＣでは、奇数番目の転送サイリスタＴ１とこれに隣接する偶数番目の転送サイリスタＴ２とが、共にオンした状態となる。このときも、発光サイリスタＬ１およびＬ２が共に発光を続行する。
【００８５】
次に、転送サイリスタＴ１およびＴ２が共にオンし、且つ、発光サイリスタＬ１およびＬ２が共に発光している状態において、第１転送信号φ１が再びローレベルからハイレベルに変更される（図１４（ｈ））。これに伴い、転送サイリスタＴ２はオン状態を維持する一方、転送サイリスタＴ１はオン状態からオフ状態へと移行する。ただし、転送サイリスタＴ１がオフ状態となっても、一旦オン状態となった発光サイリスタＬ１は、サイリスタ固有の特性によりオフ状態とはならず、発光し続ける。したがって、このときも、発光サイリスタＬ１およびＬ２が共に発光を続行する。
【００８６】
そして、転送サイリスタＴ２がオンに維持される一方、転送サイリスタＴ１がオフになり、且つ、発光サイリスタＬ１およびＬ２が共に発光している状態において、発光信号φＩがローレベルからハイレベルに変更される（図１４（ｉ））。これに伴い、発光サイリスタＬ１およびＬ２は共に発光を終了し、消灯状態となる。
【００８７】
続いて、転送サイリスタＴ２がオンに、転送サイリスタＴ１がオフにそれぞれ維持される一方、発光サイリスタＬ１およびＬ２が共に発光を終了している状態において、第１転送信号φ１がハイレベルからローレベルに変更される（図１４（ｊ））。すると、ローレベルの第１転送信号φ１が供給される奇数番目の転送サイリスタＴ１、Ｔ３、…、Ｔ２５９のうち、ゲート電圧が最も高く、閾値電圧以上となる転送サイリスタＴ３がターンオンする。なお、転送サイリスタＴ３よりも前段にある転送サイリスタＴ１のゲート電圧は、ゲート同士が接続される発光サイリスタＬ１の消灯に伴い、既に転送サイリスタＴ３のゲート電圧よりも低くなっている。このとき、発光チップＣでは、偶数番目の転送サイリスタＴ２とこれに隣接する奇数番目の転送サイリスタＴ３とが、共にオンした状態となる。
ただし、奇数−偶数モードでは、奇数番目の発光サイリスタとこれに隣接する偶数番目の発光サイリスタとを組として発光を行わせるので、この状態で発光信号φＩがハイレベルからローレベルに変更されることはない。
【００８８】
そして、転送サイリスタＴ２およびＴ３が共にオンしている状態において、第２転送信号φ２がローレベルからハイレベルに変更される（図１４（ｋ））。これに伴い、転送サイリスタＴ３はオン状態を維持する一方、転送サイリスタＴ２はオン状態からオフ状態へと移行する。
【００８９】
次に、転送サイリスタＴ３がオンしている状態において、第２転送信号φ２がハイレベルからローレベルに変更される（図１４（ｌ））。すると、ローレベルの第２転送信号φ２が供給される偶数番目の転送サイリスタＴ２、Ｔ４、…、Ｔ２６０のうち、ゲート電圧が最も高く、閾値電圧以上となる転送サイリスタＴ４がターンオンする。なお、転送サイリスタＴ４よりも前段にある転送サイリスタＴ２のゲート電圧は、ゲート同士が接続される発光サイリスタＬ２の消灯に伴い、既に転送サイリスタＴ４のゲート電圧よりも低くなっている。このとき、発光チップＣでは、奇数番目の転送サイリスタＴ３とこれに隣接する偶数番目の転送サイリスタＴ４とが、共にオンした状態となる。
【００９０】
そして、転送サイリスタＴ３およびＴ４が共にオンしている状態において、発光信号φＩがハイレベルからローレベルに変更される（図１４（ｍ））。これに伴い、奇数番目の発光サイリスタＬ３およびこれに隣接する偶数番目の発光サイリスタＬ４が共にオンして発光を開始する。
【００９１】
次に、転送サイリスタＴ３およびＴ４が共にオンし、且つ、発光サイリスタＬ３およびＬ４が共にオンすなわち発光している状態において、第２転送信号φ２がローレベルからハイレベルに変更される（図１４（ｎ））。これに伴い、転送サイリスタＴ３はオン状態を維持する一方、転送サイリスタＴ４はオン状態からオフ状態へと移行する。ただし、転送サイリスタＴ４がオフ状態となっても、一旦オン状態となった発光サイリスタＬ４は、サイリスタ固有の特性によりオフ状態とはならず、発光し続ける。したがって、このときも、発光サイリスタＬ３およびＬ４が共に発光を続行する。
【００９２】
続いて、転送サイリスタＴ３がオンに維持される一方、転送サイリスタＴ４がオフになり、且つ、発光サイリスタＬ３およびＬ４が共にオンすなわち発光している状態において、第２転送信号φ２が再びハイレベルからローレベルに変更される（図１４（ｏ））。すると、ローレベルの第２転送信号φ２が供給される偶数番目の転送サイリスタＴ２、Ｔ４、…、Ｔ２６０のうち、発光中の発光サイリスタＬ４とゲート同士が接続されている転送サイリスタＴ４が再びターンオンする。このとき、発光チップＣでは、奇数番目の転送サイリスタＴ３とこれに隣接する偶数番目の転送サイリスタＴ４とが、共にオンした状態となる。このときも、発光サイリスタＬ３およびＬ４が共に発光を続行する。
【００９３】
さらに、転送サイリスタＴ３およびＴ４が共にオンし、且つ、発光サイリスタＬ３およびＬ４が共にオンすなわち発光している状態において、第１転送信号φ１がローレベルからハイレベルに変更される（図１４（ｐ））。これに伴い、転送サイリスタＴ４はオン状態を維持する一方、転送サイリスタＴ３はオン状態からオフ状態へと移行する。ただし、転送サイリスタＴ３がオフ状態となっても、一旦オン状態となった発光サイリスタＬ３は、サイリスタ固有の特性によりオフ状態とはならず、発光し続ける。したがって、このときも、発光サイリスタＬ３およびＬ４が共に発光を続行する。
【００９４】
続いて、転送サイリスタＴ４がオンに維持される一方、転送サイリスタＴ３がオフになり、且つ、発光サイリスタＬ３およびＬ４が共に発光している状態において、第１転送信号φ１が再びハイレベルからローレベルに変更される（図１４（ｑ））。すると、ローレベルの第１転送信号φ１が供給される奇数番目の転送サイリスタＴ１、Ｔ３、…、Ｔ２５９のうち、発光中の発光サイリスタＬ３とゲート同士が接続されている転送サイリスタＴ３が再びターンオンする。このとき、発光チップＣでは、奇数番目の転送サイリスタＴ３とこれに隣接する偶数番目の転送サイリスタＴ４とが、共にオンした状態となる。このときも、発光サイリスタＬ３およびＬ４が共に発光を続行する。
【００９５】
次に、転送サイリスタＴ３およびＴ４が共にオンし、且つ、発光サイリスタＬ３およびＬ４が共に発光している状態において、第１転送信号φ１が再びローレベルからハイレベルに変更される（図１４（ｒ））。これに伴い、転送サイリスタＴ４はオン状態を維持する一方、転送サイリスタＴ３はオン状態からオフ状態へと移行する。ただし、転送サイリスタＴ３がオフ状態となっても、一旦オン状態となった発光サイリスタＬ３は、サイリスタ固有の特性によりオフ状態とはならず、発光し続ける。したがって、このときも、発光サイリスタＬ３およびＬ４が共に発光を続行する。
【００９６】
そして、転送サイリスタＴ４がオンに維持される一方、転送サイリスタＴ３がオフになり、且つ、発光サイリスタＬ３およびＬ４が共に発光している状態において、発光信号φＩがローレベルからハイレベルに変更される（図１４（ｓ））。これに伴い、発光サイリスタＬ３およびＬ４は共に発光を終了し、消灯状態となる。
【００９７】
続いて、転送サイリスタＴ４がオンに、転送サイリスタＴ３がオフにそれぞれ維持される一方、発光サイリスタＬ３およびＬ４が共に発光を終了している状態において、第１転送信号φ１がハイレベルからローレベルに変更される（図１４（ｔ））。すると、ローレベルの第１転送信号φ１が供給される奇数番目の転送サイリスタＴ１、Ｔ３、…、Ｔ２５９のうち、ゲート電圧が最も高く、閾値電圧以上となる転送サイリスタＴ５がターンオンする。なお、転送サイリスタＴ５よりも前段にある転送サイリスタＴ３のゲート電圧は、ゲート同士が接続される発光サイリスタＬ３の消灯に伴い、既に転送サイリスタＴ５のゲート電圧よりも低くなっている。このとき、発光チップＣでは、偶数番目の転送サイリスタＴ４とこれに隣接する奇数番目の転送サイリスタＴ５とが、共にオンした状態となる。
ただし、奇数−偶数モードでは、奇数番目の発光サイリスタとこれに隣接する偶数番目の発光サイリスタとを組として発光を行わせるので、この状態で発光信号φＩがハイレベルからローレベルに変更されることはない。
【００９８】
そして、転送サイリスタＴ４およびＴ５が共にオンしている状態において、第２転送信号φ２がローレベルからハイレベルに変更される（図１４（ｕ））。これに伴い、転送サイリスタＴ５はオン状態を維持する一方、転送サイリスタＴ４はオン状態からオフ状態へと移行する。
【００９９】
次に、転送サイリスタＴ５がオンしている状態において、第２転送信号φ２がハイレベルからローレベルに変更される（図１４（ｖ））。すると、ローレベルの第２転送信号φ２が供給される偶数番目の転送サイリスタＴ２、Ｔ４、…、Ｔ２６０のうち、ゲート電圧が最も高く、閾値電圧以上となる転送サイリスタＴ６がターンオンする。なお、転送サイリスタＴ６よりも前段にある転送サイリスタＴ４のゲート電圧は、ゲート同士が接続される発光サイリスタＬ４の消灯に伴い、既に転送サイリスタＴ６のゲート電圧よりも低くなっている。このとき、発光チップＣでは、奇数番目の転送サイリスタＴ５とこれに隣接する偶数番目の転送サイリスタＴ６とが、共にオンした状態となる。
【０１００】
なお、この例では、図１４（ｂ）〜（ｄ）および図１４（ｌ）〜（ｎ）が、図１２に示す第３の期間Ｔｃにそれぞれ相当する。また、図１４（ｎ）〜（ｊ）および図１４（ｒ）〜（ｔ）が、第８の期間Ｔｈにそれぞれ相当する。
【０１０１】
以降、同様の手順にて、奇数番目の転送サイリスタとその後段に隣接する偶数番目の転送サイリスタとが共にオン状態にあり、且つ、第３の期間Ｔｃである間に、発光信号φＩをハイレベルからローレベルへと変更することで、奇数番目の転送サイリスタとゲート同士が接続された奇数番目の発光サイリスタおよびその後段に隣接する偶数番目の転送サイリスタとゲート同士が接続された偶数番目の発光サイリスタとが共に点灯することになる。また、偶数番目の転送サイリスタのみがオン状態にあり、且つ第８の期間Ｔｈである間に、発光信号φＩをローレベルからハイレベルへと変更することで、奇数番目の発光サイリスタおよびその後段に隣接する偶数番目の発光サイリスタが共に消灯することになる。このとき、オン状態にあるのは後段となっていた偶数番目の転送サイリスタであるので、その次にターンオンするのはこの偶数番目の転送サイリスタの後段に隣接する奇数番目の転送サイリスタとなり、正常な転送が維持されることになる。
【０１０２】
（奇数−偶数交互発光動作）
次に、図６および図１５に示すタイミングチャートを参照しつつ、奇数−偶数交互発光動作について説明を行う。
ただし、図１５（ａ）から図１５（ｌ）へと至る過程については、上述した奇数−偶数全発光動作における図１４（ａ）〜図１４（ｌ）と全く同じであるので、これらについては詳細な説明を省略し、図１５（ｌ）から説明を行う。
【０１０３】
図１５（ａ）〜図１５（ｋ）に示した時点を経過することにより、転送サイリスタＴ３がオンしている状態において、第２転送信号φ２がハイレベルからローレベルに変更される（図１５（ｌ））。すると、ローレベルの第２転送信号φ２が供給される偶数番目の転送サイリスタＴ２、Ｔ４、…、Ｔ２６０のうち、ゲート電圧が最も高く、閾値電圧以上となる転送サイリスタＴ４がターンオンする。なお、転送サイリスタＴ４よりも前段にある転送サイリスタＴ２のゲート電圧は、ゲート同士が接続される発光サイリスタＬ２の消灯に伴い、既に転送サイリスタＴ４のゲート電圧よりも低くなっている。このとき、発光チップＣでは、奇数番目の転送サイリスタＴ３とこれに隣接する偶数番目の転送サイリスタＴ４とが、共にオンした状態となる。
ただし、奇数−偶数交互発光動作では、発光サイリスタＬ３およびＬ４を発光させないので、転送サイリスタＴ３およびＴ４が共にオンしている状態において、発光信号φＩがハイレベルからローレベルに変更されることはない。
【０１０４】
次に、転送サイリスタＴ３およびＴ４が共にオンし、且つ、発光サイリスタＬ３およびＬ４が発光してない状態において、第２転送信号φ２がローレベルからハイレベルに変更される（図１５（ｍ））。これに伴い、転送サイリスタＴ３はオン状態を維持する一方、転送サイリスタＴ４はオン状態からオフ状態へと移行する。また、発光サイリスタＬ３およびＬ４も非発光状態を維持する。
【０１０５】
続いて、転送サイリスタＴ３がオンに維持される一方、転送サイリスタＴ４がオフになり、且つ、発光サイリスタＬ３およびＬ４が共にオフすなわち発光していない状態において、第２転送信号φ２が再びハイレベルからローレベルに変更される（図１５（ｎ））。これに伴い、ローレベルの第２転送信号φ２が供給される偶数番目の転送サイリスタＴ２、Ｔ４、…、Ｔ２６０のうち、ゲート電圧が最も高く、閾値電圧以上となる転送サイリスタＴ４が再びターンオンする。したがって、発光チップＣでは、奇数番目の転送サイリスタＴ３とこれに隣接する偶数番目の転送サイリスタＴ４とが、共にオンした状態となる。このときも、発光サイリスタＬ３およびＬ４は共に非発光状態を維持する。
【０１０６】
さらに、転送サイリスタＴ３およびＴ４が共にオンし、且つ、発光サイリスタＬ３および発光サイリスタＬ４が共に発光していない状態において、第１転送信号φ１がローレベルからハイレベルに変更される（図１５（ｏ））。これに伴い、転送サイリスタＴ４はオン状態を維持する一方、転送サイリスタＴ３はオン状態からオフ状態へと移行する。このときも、発光サイリスタＬ３およびＬ４は共に非発光状態を維持する。
【０１０７】
続いて、転送サイリスタＴ４がオンに維持される一方、転送サイリスタＴ３がオフになり、且つ、発光サイリスタＬ３およびＬ４が共に発光していない状態において、第１転送信号φ１がハイレベルからローレベルに変更される（図１５（ｐ））。すると、ローレベルの第１転送信号φ１が供給される奇数番目の転送サイリスタＴ１、Ｔ３、…、Ｔ２５９のうち、ゲート電圧が最も高く、閾値電圧以上となる転送サイリスタＴ５がターンオンする。このとき、図１４に示した例とは異なり、転送サイリスタＴ５がターンオンするのは、この時点で発光サイリスタＬ３が発光していないために、発光サイリスタＬ３とゲート同士が接続された転送サイリスタＴ３のゲート電圧が、既に転送サイリスタＴ５のゲート電圧よりも低くなっているためである。したがって、発光チップＣでは、偶数番目の転送サイリスタＴ４とこれに隣接する奇数番目の転送サイリスタＴ５とが、共にオンした状態となる。
ただし、奇数−偶数モードでは、奇数番目の発光サイリスタとこれに隣接する偶数番目の発光サイリスタとを組として発光を行わせるので、この状態で発光信号φＩがハイレベルからローレベルに変更されることはない。
【０１０８】
さらに、転送サイリスタＴ４およびＴ５が共にオンしている状態において、第１転送信号φ１がローレベルからハイレベルに変更される（図１５（ｑ））。これに伴い、転送サイリスタＴ４はオン状態を維持する一方、転送サイリスタＴ５はオン状態からオフ状態へと移行する。
【０１０９】
続いて、転送サイリスタＴ４がオンに維持される一方、転送サイリスタＴ５がオフになっている状態において、第１転送信号φ１が再びハイレベルからローレベルに変更される（図１５（ｒ））。すると、ローレベルの第１転送信号φ１が供給される奇数番目の転送サイリスタＴ１、Ｔ３、…、Ｔ２５９のうち、ゲート電圧が最も高く、閾値電圧以上となる転送サイリスタＴ５が再びターンオンする。このとき、発光チップＣでは、偶数番目の転送サイリスタＴ４とこれに隣接する奇数番目の転送サイリスタＴ５とが、共にオンした状態となる。
【０１１０】
そして、転送サイリスタＴ４およびＴ５が共にオンしている状態において、第２転送信号φ２がローレベルからハイレベルに変更される（図１５（ｓ））。これに伴い、転送サイリスタＴ５はオン状態を維持する一方、転送サイリスタＴ４はオン状態からオフ状態へと移行する。
【０１１１】
次に、転送サイリスタＴ５がオンしている状態において、第２転送信号φ２がハイレベルからローレベルに変更される（図１５（ｔ））。すると、ローレベルの第２転送信号φ２が供給される偶数番目の転送サイリスタＴ２、Ｔ４、…、Ｔ２６０のうち、ゲート電圧が最も高く、閾値電圧以上となる転送サイリスタＴ６がターンオンする。このとき、発光チップＣでは、奇数番目の転送サイリスタＴ５とこれに隣接する偶数番目の転送サイリスタＴ６とが、共にオンした状態となる。
【０１１２】
なお、この例では、図１５（ｂ）〜（ｄ）および図１５（ｌ）〜（ｍ）が、図１２に示す第３の期間Ｔｃにそれぞれ相当する。また、図１５（ｈ）〜（ｉ）および図１５（ｒ）〜（ｓ）が、第８の期間Ｔｈにそれぞれ相当する。
【０１１３】
以降、同様の手順にて、奇数番目の転送サイリスタとその後段に隣接する偶数番目の転送サイリスタとが共にオン状態にあり、且つ、その組み合わせが（１，２）、（５，６）、（９，１０）、…であり、さらに第３の期間Ｔｃである間に、発光信号φＩをハイレベルからローレベルへと変更することで、奇数番目（１、５、９、…）の転送サイリスタとゲート同士が接続された奇数番目（１、５、９、…）の発光サイリスタおよびその後段に隣接する偶数番目（２、６、１０、…）の転送サイリスタとゲート同士が接続された偶数番目（２、６、１０、…）の発光サイリスタとが共に点灯することになる。また、偶数番目（２、６、１０、…）の転送サイリスタのみがオン状態にあり、且つ、第８の期間Ｔｈである間に、発光信号φＩをローレベルからハイレベルへと変更することで、奇数番目（１、５、９、…）の発光サイリスタおよびその後段に隣接する偶数番目（２、６、１０、…）の発光サイリスタが共に消灯することになる。このとき、オン状態にあるのは後段となっていた偶数番目の転送サイリスタであるので、その次にターンオンするのはこの偶数番目の転送サイリスタの後段に隣接する奇数番目の転送サイリスタとなり、正常な転送が維持されることになる。
【０１１４】
一方、この例において、奇数番目の転送サイリスタとその後段に隣接する偶数番目の転送サイリスタとが共にオン状態にあり、且つ、その組み合わせが（３，４）、（７，８）、…の場合には、第３の期間Ｔｃにおいて発光信号φＩをハイレベルに維持することにより、奇数番目（３、７、…）の転送サイリスタとゲート同士が接続された奇数番目（３、７、…）の発光サイリスタおよびその後段に隣接する偶数番目（４、８、…）の転送サイリスタとゲート同士が接続された偶数番目（４、８、…）の発光サイリスタが共に発光しないことになる。ただし、この場合も、第８の期間Ｔｈにおいてオン状態にあるのは、後段となっていた偶数番目の転送サイリスタであるので、その次にターンオンするのはこの偶数番目の転送サイリスタの後段に隣接する奇数番目の転送サイリスタとなり、こちらも正常な転送が維持されることになる。
【０１１５】
≪偶数−奇数モード≫
（偶数−奇数全発光動作）
今度は、図６および図１６に示すタイミングチャートを参照しつつ、偶数−奇数全発光動作について説明を行う。
初期状態において、発光チップＣの転送サイリスタＴ１のゲート端子Ｇ１には、信号発生回路１００の転送信号発生部１２０から、スタートダイオードＤｓを介してハイレベルの第２転送信号φ２が供給されている。このとき、接続ダイオードＤ１〜Ｄ２５９を介して、他の転送サイリスタＴ２〜Ｔ２６０のゲート端子Ｇ２〜Ｇ２６０にも第２転送信号φ２が供給される。ただし、各接続ダイオードＤ１〜Ｄ２６０でそれぞれ電圧降下が生じるため、転送サイリスタＴ１のゲート端子Ｇ１にかかる電圧が最も高くなる。
【０１１６】
そして、第２転送信号φ２がハイレベルとなっている状態で、第１転送信号φ１が、ハイレベルからローレベル（Ｌ）に変更される（図１６（ａ））。第２転送信号φ２がハイレベルとなっている状態において、ローレベルの第１転送信号φ１が供給されると、発光チップＣでは、ローレベルの第１転送信号φ１が供給される奇数番目の転送サイリスタＴ１、Ｔ３、…、Ｔ２５９のうち、ゲート電圧が最も高く、閾値電圧以上となる転送サイリスタＴ１がターンオンする。また、このとき、第２転送信号φ２はハイレベルとなっているので、偶数番目の転送サイリスタＴ２、Ｔ４、…、Ｔ２６０のカソード電圧は高いままとなり、オフの状態が維持される。この結果、発光チップＣでは、奇数番目の転送サイリスタＴ１のみがオンした状態となる。
【０１１７】
転送サイリスタＴ１がオンしている状態において、第２転送信号φ２がハイレベルからローレベルに変更される（図１６（ｂ））。すると、ローレベルの第２転送信号φ２が供給される偶数番目の転送サイリスタＴ２、Ｔ４、…、Ｔ２６０のうち、ゲート電圧が最も高く、閾値以上となる転送サイリスタＴ２がターンオンする。このとき、発光チップＣでは、奇数番目の転送サイリスタＴ１とこれに隣接する偶数番目の転送サイリスタＴ２とが、共にオンした状態となる。
【０１１８】
ただし、偶数−奇数モードでは、発光サイリスタＬ１を発光させないので、転送サイリスタＴ１およびＴ２が共にオンしている状態において、発光信号φＩがハイレベルからローレベルに変更されることはない。
【０１１９】
次に、転送サイリスタＴ１およびＴ２が共にオンし、且つ、発光サイリスタＬ１およびＬ２が共に発光していない状態において、第２転送信号φ２がローレベルからハイレベルに変更される（図１６（ｃ））。これに伴い、転送サイリスタＴ１はオン状態を維持する一方、転送サイリスタＴ２はオン状態からオフ状態へと移行する。また、発光サイリスタＬ１およびＬ２も非発光状態を維持する。
【０１２０】
続いて、転送サイリスタＴ１がオンに維持される一方、転送サイリスタＴ２がオフになり、且つ、発光サイリスタＬ１およびＬ２が共に発光していない状態において、第２転送信号φ２が再びハイレベルからローレベルに変更される（図１６（ｄ））。すると、ローレベルの第２転送信号φ２が供給される偶数番目の転送サイリスタＴ２、Ｔ４、…、Ｔ２６０のうち、ゲート電圧が最も高く、閾値電圧以上となる転送サイリスタＴ２が再びターンオンする。したがって、発光チップＣでは、奇数番目の転送サイリスタＴ１とこれに隣接する偶数番目の転送サイリスタＴ２とが、共にオンした状態となる。このときも、発光サイリスタＬ１およびＬ２は非発光状態を維持する。
【０１２１】
さらに、転送サイリスタＴ１およびＴ２が共にオンし、且つ、発光サイリスタＬ１およびＬ２が共に発光していない状態において、第１転送信号φ１がローレベルからハイレベルに変更される（図１６（ｅ））。これに伴い、転送サイリスタＴ２はオン状態を維持する一方、転送サイリスタＴ１はオン状態からオフ状態へと移行する。このときも、発光サイリスタＬ１およびＬ２は非発光状態を維持する。
【０１２２】
続いて、転送サイリスタＴ２がオンに維持される一方、転送サイリスタＴ１がオフになり、且つ、発光サイリスタＬ１およびＬ２が共に発光していない状態において、第１転送信号φ１が再びハイレベルからローレベルに変更される（図１６（ｆ））。すると、ローレベルの第１転送信号φ１が供給される奇数番目の転送サイリスタＴ１、Ｔ３、…、Ｔ２５９のうち、ゲート電圧が最も高く、閾値電圧以上となる転送サイリスタＴ３がターンオンする。したがって、発光チップＣでは、偶数番目の転送サイリスタＴ２とこれに隣接する奇数番目の転送サイリスタＴ３とが、共にオンした状態となる。
【０１２３】
そして、転送サイリスタＴ２およびＴ３が共にオンしている状態において、発光信号φＩがハイレベルからローレベルに変更される（図１６（ｇ））。これに伴い、偶数番目の発光サイリスタＬ２およびこれに隣接する偶数番目の転送サイリスタＬ３が、共にオンして発光を開始する。
【０１２４】
次に、転送サイリスタＴ２およびＴ３が共にオンし、且つ、発光サイリスタＬ２およびＬ３が共にオンすなわち発光している状態において、第１転送信号φ１がローレベルからハイレベルに変更される（図１６（ｈ））。これに伴い、転送サイリスタＴ２はオン状態を維持する一方、転送サイリスタＴ３はオン状態からオフ状態へと移行する。ただし、転送サイリスタＴ３がオフ状態となっても、一旦オン状態となった発光サイリスタＬ３は、サイリスタ固有の特性によりオフ状態とはならず、発光し続ける。したがって、このときも、発光サイリスタＬ２およびＬ３が共に発光を続行する。
【０１２５】
続いて、転送サイリスタＴ２がオンに維持される一方、転送サイリスタＴ３がオフになり、且つ、発光サイリスタＬ２およびＬ３が共にオンすなわち発光している状態において、第１転送信号φ１が再びハイレベルからローレベルに変更される（図１６（ｉ））。すると、ローレベルの第１転送信号φ１が供給される奇数番目の転送サイリスタＴ１、Ｔ３、…、Ｔ２５９のうち、発光中の発光サイリスタＬ３とゲート同士が接続されている転送サイリスタＴ３が再びターンオンする。このとき、発光チップＣでは、偶数番目の転送サイリスタＴ２とこれに隣接する奇数番目の転送サイリスタＴ３とが、共にオンした状態となる。このときも、発光サイリスタＬ２およびＬ３が共に発光を続行する。
【０１２６】
さらに、転送サイリスタＴ２および転送サイリスタＴ３が共にオンし、且つ、発光サイリスタＬ２およびＬ３が共にオンすなわち発光している状態において、第２転送信号φ２がローレベルからハイレベルに変更される（図１６（ｊ））。これに伴い、転送サイリスタＴ３はオン状態を維持する一方、転送サイリスタＴ２はオン状態からオフ状態へと移行する。ただし、転送サイリスタＴ２がオフ状態となっても、一旦オン状態となった発光サイリスタＬ２は、サイリスタ固有の特性によりオフ状態とはならず、発光し続ける。したがって、このときも、発光サイリスタＬ２および発光サイリスタＬ３が共に発光を続行する。
【０１２７】
続いて、転送サイリスタＴ３がオンに維持される一方、転送サイリスタＴ２がオフになり、且つ、発光サイリスタＬ２およびＬ３が共にオンすなわち発光している状態において、第２転送信号φ２が再びハイレベルからローレベルに変更される（図１６（ｋ））。すると、ローレベルの第２転送信号φ２が供給される偶数番目の転送サイリスタＴ２、Ｔ４、…、Ｔ２６０のうち、発光中の発光サイリスタＬ２とゲート同士が接続されている転送サイリスタＴ２が再びターンオンする。このとき、発光チップＣでは、偶数番目の転送サイリスタＴ２とこれに隣接する奇数番目の転送サイリスタＴ３とが、共にオンした状態となる。このときも、発光サイリスタＬ２およびＬ３が共に発光を続行する。
【０１２８】
次に、転送サイリスタＴ２およびＴ３が共にオンし、且つ、発光サイリスタＬ２およびＬ３が共にオンすなわち発光している状態において、第２転送信号φ２が再びローレベルからハイレベルに変更される（図１６（ｌ））。これに伴い、転送サイリスタＴ３はオン状態を維持する一方、転送サイリスタＴ２はオン状態からオフ状態へと移行する。ただし、転送サイリスタＴ２がオフ状態となっても、一旦オン状態となった発光サイリスタＬ２は、サイリスタ固有の特性によりオフ状態とはならず、発光し続ける。したがって、このときも、発光サイリスタＬ２およびＬ３が共に発光を続行する。
【０１２９】
そして、転送サイリスタＴ３がオンに維持される一方、転送サイリスタＴ２がオフになり、且つ、発光サイリスタＬ２およびＬ３が共にオンすなわち発光している状態において、発光信号φＩがローレベルからハイレベルに変更される（図１６（ｍ））。これに伴い、発光サイリスタＬ２およびＬ３は共に発光を終了し、消灯状態となる。
【０１３０】
続いて、転送サイリスタＴ３がオンに、転送サイリスタＴ２がオフにそれぞれ維持される一方、発光サイリスタＬ２およびＬ３が共に発光を終了している状態において、第２転送信号φ２がハイレベルからローレベルに変更される（図１６（ｎ））。すると、ローレベルの第２転送信号φ２が供給される偶数番目の転送サイリスタＴ２、Ｔ４、…、Ｔ２６０のうち、ゲート電圧が最も高く、閾値電圧以上となる転送サイリスタＴ４がターンオンする。なお、転送サイリスタＴ４よりも前段にある転送サイリスタＴ２のゲート電圧は、ゲート同士が接続される発光サイリスタＬ２の消灯に伴い、既に転送サイリスタＴ４のゲート電圧よりも低くなっている。このとき、発光チップＣでは、奇数番目の転送サイリスタＴ３とこれに隣接する偶数番目の転送サイリスタＴ４とが、共にオンした状態となる。
ただし、偶数−奇数モードでは、偶数番目の発光サイリスタとこれに隣接する奇数番目の発光サイリスタとを組として発光を行わせるので、この状態で発光信号φＩがハイレベルからローレベルに変更されることはない。
【０１３１】
そして、転送サイリスタＴ３およびＴ４が共にオンしている状態において、第１転送信号φ１がローレベルからハイレベルに変更される（図１６（ｏ））。これに伴い、転送サイリスタＴ４はオン状態を維持する一方、転送サイリスタＴ３はオン状態からオフ状態へと移行する。
【０１３２】
次に、転送サイリスタＴ４がオンしている状態において、第１転送信号φ１がハイレベルからローレベルに変更される（図１６（ｐ））。すると、ローレベルの第１転送信号φ１が供給される奇数番目の転送サイリスタＴ１、Ｔ３、…、Ｔ２５９のうち、ゲート電圧が最も高く、閾値電圧以上となる転送サイリスタＴ５がターンオンする。なお、転送サイリスタＴ５よりも前段にある転送サイリスタＴ３のゲート電圧は、ゲート同士が接続される発光サイリスタＬ３の消灯に伴い、既に転送サイリスタＴ５のゲート電圧よりも低くなっている。このとき、発光チップＣでは、偶数番目の転送サイリスタＴ４とこれに隣接する奇数番目の転送サイリスタＴ５とが、共にオンした状態となる。
【０１３３】
そして、転送サイリスタＴ４およびＴ５が共にオンしている状態において、発光信号φＩがハイレベルからローレベルに変更される（図１６（ｑ））。これに伴い、偶数番目の発光サイリスタＬ４およびこれに隣接する偶数番目の転送サイリスタＬ５が、共にオンして発光を開始する。
【０１３４】
次に、転送サイリスタＴ４およびＴ５が共にオンし、且つ、発光サイリスタＬ４およびＬ５が共にオンすなわち発光している状態において、第１転送信号φ１がローレベルからハイレベルに変更される（図１６（ｒ））。これに伴い、転送サイリスタＴ４はオン状態を維持する一方、転送サイリスタＴ５はオン状態からオフ状態へと移行する。ただし、転送サイリスタＴ５がオフ状態となっても、一旦オン状態となった発光サイリスタＬ５は、サイリスタ固有の特性によりオフ状態とはならず、発光し続ける。したがって、このときも、発光サイリスタＬ４およびＬ５が共に発光を続行する。
【０１３５】
続いて、転送サイリスタＴ４がオンに維持される一方、転送サイリスタＴ５がオフになり、且つ、発光サイリスタＬ４およびＬ５が共にオンすなわち発光している状態において、第１転送信号φ１が再びハイレベルからローレベルに変更される（図１６（ｓ））。すると、ローレベルの第１転送信号φ１が供給される奇数番目の転送サイリスタＴ１、Ｔ３、…、Ｔ２５９のうち、発光中の発光サイリスタＬ５とゲート同士が接続されている転送サイリスタＴ５が再びターンオンする。このとき、発光チップＣで、偶数番目の転送サイリスタＴ４とこれに隣接する奇数番目の転送サイリスタＴ５とが、共にオンした状態となる。このときも、発光サイリスタＬ４およびＬ５が共に発光を続行する。
【０１３６】
さらに、転送サイリスタＴ４および転送サイリスタＴ５が共にオンし、且つ、発光サイリスタＬ４およびＬ５が共にオンすなわち発光している状態において、第２転送信号φ２がローレベルからハイレベルに変更される（図１６（ｔ））。これに伴い、転送サイリスタＴ５はオン状態を維持する一方、転送サイリスタＴ４はオン状態からオフ状態へと移行する。ただし、転送サイリスタＴ４がオフ状態となっても、一旦オン状態となった発光サイリスタＬ４は、サイリスタ固有の特性によりオフ状態とはならず、発光し続ける。したがって、このときも、発光サイリスタＬ４および発光サイリスタＬ５が共に発光を続行する。
【０１３７】
続いて、転送サイリスタＴ５がオンに維持される一方、転送サイリスタＴ４がオフになり、且つ、発光サイリスタＬ４およびＬ５が共にオンすなわち発光している状態において、第２転送信号φ２が再びハイレベルからローレベルに変更される（図１６（ｕ））。すると、ローレベルの第２転送信号φ２が供給される偶数番目の転送サイリスタＴ２、Ｔ４、…、Ｔ２６０のうち、発光中の発光サイリスタＬ４とゲート同士が接続されている転送サイリスタＴ４が再びターンオンする。このとき、発光チップＣでは、偶数番目の転送サイリスタＴ４とこれに隣接する奇数番目の転送サイリスタＴ５とが、共にオンした状態となる。このときも、発光サイリスタＬ４およびＬ５が共に発光を続行する。
【０１３８】
次に、転送サイリスタＴ４およびＴ５が共にオンし、且つ、発光サイリスタＬ４およびＬ５が共にオンすなわち発光している状態において、第２転送信号φ２が再びローレベルからハイレベルに変更される（図１６（ｖ））。これに伴い、転送サイリスタＴ５はオン状態を維持する一方、転送サイリスタＴ４はオン状態からオフ状態へと移行する。ただし、転送サイリスタＴ４がオフ状態となっても、一旦オン状態となった発光サイリスタＬ４は、サイリスタ固有の特性によりオフ状態とはならず、発光し続ける。したがって、このときも、発光サイリスタＬ４およびＬ５が共に発光を続行する。
【０１３９】
そして、転送サイリスタＴ５がオンに維持される一方、転送サイリスタＴ４がオフになり、且つ、発光サイリスタＬ４およびＬ５が共にオンすなわち発光している状態において、発光信号φＩがローレベルからハイレベルに変更される（図１６（ｗ））。これに伴い、発光サイリスタＬ４およびＬ５は共に発光を終了し、消灯状態となる。
【０１４０】
続いて、発光サイリスタＴ５がオンに、転送サイリスタＴ４がオフにそれぞれ維持される一方、発光サイリスタＬ４およびＬ５が共に発光を終了している状態において、第２転送信号φ２がハイレベルからローレベルに変更される（図１６（ｘ））。すると、ローレベルの第２転送信号φ２が供給される偶数番目の転送サイリスタＴ２、Ｔ４、…、Ｔ２６０のうち、ゲート電圧が最も高く、閾値電圧以上となる転送サイリスタＴ６がターンオンする。なお、転送サイリスタＴ６よりも前段にある転送サイリスタＴ４のゲート電圧は、ゲート同士が接続される発光サイリスタＬ４の消灯に伴い、既に転送サイリスタＴ６のゲート電圧よりも低くなっている。このとき、発光チップＣでは、奇数番目の転送サイリスタＴ５とこれに隣接する偶数番目の転送サイリスタＴ６とが、共にオンした状態となる。
ただし、偶数−奇数モードでは、偶数番目の発光サイリスタとこれに隣接する奇数番目の発光サイリスタとを組として発光を行わせるので、この状態で発光信号φＩがハイレベルからローレベルに変更されることはない。
【０１４１】
そして、転送サイリスタＴ５およびＴ６が共にオンしている状態において、第１転送信号φ１がローレベルからハイレベルに変更される（図１６（ｙ））。これに伴い、転送サイリスタＴ６はオン状態を維持する一方、転送サイリスタＴ５はオン状態からオフ状態へと移行する。
【０１４２】
次に、転送サイリスタＴ６がオンしている状態において、第１転送信号φ１がハイレベルからローレベルに変更される（図１６（ｚ））。すると、ローレベルの第１転送信号φ１が供給される奇数番目の転送サイリスタＴ１、Ｔ３、…、Ｔ２５９のうち、ゲート電圧が最も高く、閾値電圧以上となる転送サイリスタＴ７がターンオンする。なお、転送サイリスタＴ７よりも前段にある転送サイリスタＴ５のゲート電圧は、ゲート同士が接続される発光サイリスタＬ５の消灯に伴い、既に転送サイリスタＴ７のゲート電圧よりも低くなっている。このとき、発光チップＣでは、偶数番目の転送サイリスタＴ６とこれに隣接する奇数番目の転送サイリスタＴ７とが、共にオンした状態となる。
【０１４３】
なお、この例では、図１６（ｆ）〜（ｈ）および図１６（ｐ）〜（ｒ）が、図１２に示す第７の期間Ｔｇにそれぞれ相当する。また、図１６（ｌ）〜（ｎ）および図１６（ｖ）〜（ｘ）が、第４の期間Ｔｄにそれぞれ相当する。
【０１４４】
以降、同様の手順にて、偶数番目の転送サイリスタとその後段に隣接する奇数番目の転送サイリスタとが共にオン状態にあり、且つ、期間Ｔｇである間に、発光信号φＩをハイレベルからローレベルへと変更することで、偶数番目の転送サイリスタとゲート同士が接続された偶数番目の発光サイリスタおよびその後段に隣接する奇数番目の転送サイリスタとゲート同士が接続された奇数番目の発光サイリスタとが共に点灯することになる。また、奇数番目の転送サイリスタのみがオン状態にあり、且つ、期間Ｔｄである間に、発光信号φＩをローレベルからハイレベルへと変更することで、偶数番目の発光サイリスタおよびその後段に隣接する奇数番目の発光サイリスタが共に消灯することになる。このとき、オン状態にあるのは後段となっていた奇数番目の転送サイリスタであるため、その次にターンオンするのはこの奇数番目の転送サイリスタの後端に隣接する偶数番目の転送サイリスタとなり、正常な転送が維持されることになる。
【０１４５】
（偶数−奇数交互発光動作）
さらに、図６および図１７に示すタイミングチャートを参照しつつ、偶数−奇数交互発光動作について説明を行う。
ただし、図１７（ａ）から図１７（ｐ）へと至る過程については、上述した偶数−奇数全発光動作における図１６（ａ）〜図１６（ｐ）と全く同じであるので、これらについては詳細な説明を省略し、図１７（ｐ）から説明を行う。
【０１４６】
図１７（ａ）〜図１７（ｏ）に示した時点を経過することにより、転送サイリスタＴ４がオンしている状態において、第１転送信号φ１がハイレベルからローレベルに変更される（図１７（ｐ））。すると、ローレベルの第１転送信号φ１が供給される奇数番目の転送サイリスタＴ１、Ｔ３、…、Ｔ２５９のうち、ゲート電圧が最も高く、閾値電圧以上となる転送サイリスタＴ５がターンオンする。なお、転送サイリスタＴ５よりも前段にある転送サイリスタＴ３のゲート電圧は、ゲート同士が接続される発光サイリスタＬ３の消灯に伴い、既に転送サイリスタＴ５のゲート電圧よりも低くなっている。このとき、発光チップＣでは、偶数番目の転送サイリスタＴ４とこれに隣接する奇数番目の転送サイリスタＴ５とが、共にオンした状態となる。
ただし、偶数−奇数交互発光動作では、発光サイリスタＬ４およびＬ５を発光させないので、転送サイリスタＴ４およびＴ５が共にオンしている状態において、発光信号φＩがハイレベルからローレベルに変更されることはない。
【０１４７】
次に、転送サイリスタＴ４およびＴ５がオンし、且つ発光サイリスタＬ４およびＬ５が発光していない状態において、第１転送信号φ１がローレベルからハイレベルに変更される（図１７（ｑ））。これに伴い、転送サイリスタＴ４はオン状態を維持する一方、転送サイリスタＴ５はオン状態からオフ状態へと移行する。また、発光サイリスタＬ４およびＬ５も非発光状態を維持する。
【０１４８】
続いて、転送サイリスタＴ４がオンに維持される一方、転送サイリスタＴ５がオフになり、且つ、発光サイリスタＬ４およびＬ５が共にオフすなわち発光していない状態において、第１転送信号φ１が再びハイレベルからローレベルに変更される（図１７（ｒ））。これに伴い、ローレベルの第１転送信号φ１が供給される転送サイリスタＴ１、Ｔ３、…、Ｔ２５９のうち、ゲート電圧が最も高く、閾値電圧以上となる転送サイリスタＴ５が再びターンオンする。したがって、発光チップＣでは、偶数番目の転送サイリスタＴ４とこれに隣接する奇数番目の転送サイリスタＴ５とが、共にオンした状態となる。このときも、発光サイリスタＬ４およびＬ５は共に非発光状態を維持する。
【０１４９】
さらに、転送サイリスタＴ４およびＴ５が共にオンし、且つ、発光サイリスタＬ４およびＬ５が共に発光していない状態において、第２転送信号φ２がローレベルからハイレベルに変更される（図１７（ｓ））。これに伴い、転送サイリスタＴ５はオン状態を維持する一方、転送サイリスタＴ４はオン状態からオフ状態へと移行する。このときも、発光サイリスタＬ４およびＬ５は非発光状態を維持する。
【０１５０】
続いて、転送サイリスタＴ５がオンに維持される一方、転送サイリスタＴ４がオフになり、且つ、発光サイリスタＬ４およびＬ５がともに発光していない状態において、第２転送信号φ２がハイレベルからローレベルに変更される（図１７（ｔ））。すると、ローレベルの第２転送信号φ２が供給される偶数番目の転送サイリスタＴ２、Ｔ４、…、Ｔ２６０のうち、ゲート電圧が最も高く、閾値電圧以上となる転送サイリスタＴ６がターンオンする。このとき、図１６に示した例とは異なり、転送サイリスタＴ６がターンオンするのは、この時点で発光サイリスタＴ４が発光してないために、発光サイリスタＬ４とゲート同士が接続された転送サイリスタＴ４のゲート電圧が、既に転送サイリスタＴ６のゲート電圧よりも低くなっているためである。したがって、発光チップＣでは、奇数番目の転送サイリスタＴ５とこれに隣接する偶数番目の転送サイリスタＴ６とが、共にオンした状態となる。
ただし、偶数−奇数モードでは、偶数番目の発光サイリスタとこれに隣接する奇数番目の発光サイリスタとを組として発光を行わせるので、この状態で発光信号φＩがハイレベルからローレベルに変更されることはない。
【０１５１】
さらに、転送サイリスタＴ５およびＴ６が共にオンしている状態において、第２転送信号φ２がローレベルからハイレベルに変更される（図１７（ｕ））。これに伴い、転送サイリスタＴ５はオン状態を維持する一方、転送サイリスタＴ６はオン状態からオフ状態へと移行する。
【０１５２】
続いて、転送サイリスタＴ５がオンに維持される一方、転送サイリスタＴ６がオフになっている状態において、第２転送信号φ２が再びハイレベルからローレベルに変更される（図１７（ｖ））。すると、ローレベルの第２転送信号φ２が供給される偶数番目の転送サイリスタＴ２、Ｔ４、…、Ｔ２６０のうち、ゲート電圧が最も高く、閾値電圧以上となる転送サイリスタＴ６が再びターンオンする。このとき、発光チップＣでは、奇数番目の転送サイリスタＴ５とこれに隣接する偶数番目の転送サイリスタＴ６とが、共にオンした状態となる。
【０１５３】
そして、転送サイリスタＴ５およびＴ６が共にオンしている状態において、第１転送信号φ１がローレベルからハイレベルに変更される（図１７（ｗ））。これに伴い、転送サイリスタＴ６はオン状態を維持する一方、転送サイリスタＴ５はオン状態からオフ状態へと移行する。
【０１５４】
次に、転送サイリスタＴ６がオンに維持される一方、転送サイリスタＴ５がオフになっている状態において、第１転送信号φ１がハイレベルからローレベルに変更される（図１７（ｘ））。すると、ローレベルの第１転送信号φ１が供給される奇数番目の転送サイリスタＴ１、Ｔ３、…、Ｔ２５９のうち、ゲート電圧が最も高く、閾値電圧以上となる転送サイリスタＴ７がターンオンする。このとき、発光チップＣでは、偶数番目の転送サイリスタＴ６とこれに隣接する奇数番目の転送サイリスタＴ７とが、共にオンした状態となる。
【０１５５】
以降、同様の手順にて、偶数番目の転送サイリスタとその後段に隣接する奇数番目の転送サイリスタとが共にオン状態にあり、且つ、その組み合わせが（２，３）、（６，７）、（１０，１１）、…であり、さらに第７の期間Ｔｇである間に、発光信号φＩをハイレベルからローレベルへと変更することで、偶数番目（２、６、１０、…）の転送サイリスタとゲート同士が接続された偶数番目（２、６、１０、…）の発光サイリスタおよびその後段に隣接する奇数番目（３、７、１１、…）の転送サイリスタとゲート同士が接続された奇数番目（３、７、１１、…）の発光サイリスタが共に点灯することになる。また、奇数番目（３、７、１１、…）の転送サイリスタのみがオン状態にあり、且つ、第４の期間Ｔｄである間に、発光信号φＩをローレベルからハイレベルへと変更することで、偶数番目（２、６、１０、…）の発光サイリスタおよびその後段に隣接する奇数番目（３、７、１１、…）の発光サイリスタが共に消灯することになる。このとき、オン状態にあるのは後段となっていた奇数番目の転送サイリスタであるので、その次にターンオンするのはこの奇数番目の転送サイリスタの後段に隣接する偶数番目の転送サイリスタとなり、正常な転送が維持されることになる。
【０１５６】
一方、この例において、偶数番目の転送サイリスタとその後段に隣接する奇数番目の転送サイリスタとが共にオン状態にあり、且つ、その組み合わせが（４，５）、（８，９）、…の場合には、第７の期間Ｔｇにおいて発光信号φＩをハイレベルに維持することにより、偶数番目（２、６、１０、…）の転送サイリスタとゲート同士が接続された偶数番目（２、６、１０、…）の発光サイリスタおよびその後段に隣接する奇数番目（３、７、１１、…）の転送サイリスタとゲート同士が接続された奇数番目（３、７、１１、…）の発光サイリスタが共に発光しないことになる。ただし、この場合も、第４の期間Ｔｄにおいてオン状態にあるのは、後段となっていた奇数番目の転送サイリスタであるので、その次にターンオンするのはこの奇数番目の転送サイリスタの後段に隣接する偶数番目の転送サイリスタとなり、こちらも正常な転送が維持されることになる。
【０１５７】
このように、奇数−偶数モードおよび偶数−奇数モードのいずれにおいても、隣接する２個の発光サイリスタを組とし、組毎に発光／非発光を設定しながら露光動作が行われることになる。これにより、各ＬＰＨ１４における主走査方向の位置ずれは、画像データにおける０．５画素を単位として補正されることになる。
より具体的に説明すると、本実施の形態では、奇数−偶数モードであるか偶数−奇数モードであるかに関係なく、第１転送信号φ１および第２転送信号φ２のそれぞれの波形を一定すなわち変更することなく供給する一方、奇数−偶数モードあるいは偶数−奇数モードに応じて発光信号φＩの供給時期（本実施の形態では発光信号φＩをハイレベルからローレベルに切り換えるタイミング）を変更することにより、各ＬＰＨ１４における主走査方向の位置ずれを、発光サイリスタ１個分すなわち画像データにおける０．５画素を単位として補正している。
【０１５８】
なお、本実施の形態では、複数の発光サイリスタを主走査方向に並べることによってＬＰＨ１４を構成しているが、各発光サイリスタから出力される光量にはばらつきが存在することから、そのままでは、光量むらに起因して、形成される画像に濃度むらが生ずる懸念がある。
このような光量むらを補正するために、各発光サイリスタの発光時間を調整する手法が知られている。本実施の形態では、点灯させた１組の発光サイリスタを消灯させるための期間として第４の期間Ｔｄおよび第８の期間Ｔｈを設けており、信号発生回路１００に設けられた発光信号発生部１１０（図５参照）により、これら第４の期間Ｔｄおよび第８の期間Ｔｈの範囲内において１組の発光サイリスタの発光時間を調整することが可能となっている。しかも、本実施の形態では、これら第４の期間Ｔｄおよび第８の期間Ｔｈを、第２の期間Ｔｂおよび第６の期間Ｔｆよりも長く設定することにより、例えば第４の期間Ｔｄと第２の期間Ｔｂとを同じ長さにし、また例えば第８の期間Ｔｈを第６の期間Ｔｆと同じ長さにした場合と比較して、より広い範囲において発光時間の調整およびこれに伴う光量補正を行うことが可能である。
【符号の説明】
【０１５９】
１…画像形成装置、１０…画像プロセス部、１１(１１Ｙ、１１Ｍ、１１Ｃ、１１Ｋ)…画像形成ユニット、１２…感光体ドラム、１３…帯電器、１４(１４Ｙ、１４Ｍ、１４Ｃ、１４Ｋ)…ＬＥＤプリントヘッド(ＬＰＨ)、２０…制御部、６２…回路基板、６３…発光部、６４…ロッドレンズアレイ、７０…チップ基板、７１…発光素子アレイ、７２…スイッチ素子アレイ、１００…信号発生回路、１１０…発光信号発生部、１２０…転送信号発生部、Ｃ１〜Ｃ６０…発光チップ、Ｔ１〜Ｔ２６０…転送サイリスタ、Ｌ１〜Ｌ２６０…発光サイリスタ、Ｄｓ…スタートダイオード、Ｄ１〜Ｄ２５９…接続ダイオード、Ｒ１〜Ｒ２６０…抵抗、Ｇ１〜Ｇ２６０…ゲート端子、φＩ…発光信号、φ１…第１転送信号、φ２…第２転送信号、ＬＡ…通常発光点群、ＬＢ…第１予備発光点群、ＬＣ…第２予備発光点群
【図１】
2010201894.tif 000003
【図２】
2010201894.tif 000004
【図３】
2010201894.tif 000005
【図４】
2010201894.tif 000006
【図５】
2010201894.tif 000007
【図６】
2010201894.tif 000008
【図７】
2010201894.tif 000009
【図８】
2010201894.tif 000010
【図９】
2010201894.tif 000011
【図１０】
2010201894.tif 000012
【図１１】
2010201894.tif 000013
【図１２】
2010201894.tif 000014
【図１３】
2010201894.tif 000015
【図１４】
2010201894.tif 000016
【図１５】
2010201894.tif 000017
【図１６】
2010201894.tif 000018
【図１７】
2010201894.tif 000019